(57)【要約】【課題】体毛の成長を効率的に抑制することができる体毛用光美容装置を提供する。【解決手段】体毛用光美容装置は、体毛用美容光を照射する。体毛用美容光は、８００ｎｍ〜１２００ｎｍの波長範囲における強度の積分値が４００ｎｍ〜８００ｎｍの波長範囲における強度の積分値よりも大きい。体毛用美容光は、４００ｎｍ〜８５０ｎｍの波長範囲における強度の積分値が８５０ｎｍ〜１２００ｎｍの波長範囲における強度の積分値よりも小さい。【選択図】図２
2014161456.tif 000002
【特許請求の範囲】
【請求項１】
体毛用美容光を照射する体毛用光美容装置であって、
前記体毛用美容光は、８００ｎｍ〜１２００ｎｍの波長範囲における強度の積分値が４００ｎｍ〜８００ｎｍの波長範囲における強度の積分値よりも大きく、４００ｎｍ〜８５０ｎｍの波長範囲における強度の積分値が８５０ｎｍ〜１２００ｎｍの波長範囲における強度の積分値よりも小さい
体毛用光美容装置。
【請求項２】
前記体毛用美容光は、４００ｎｍ〜８５０ｎｍの波長範囲における強度の積分値が９００ｎｍ〜１２００ｎｍの波長範囲における強度の積分値よりも小さい
請求項１に記載の体毛用光美容装置。
【請求項３】
前記体毛用美容光は、４００ｎｍ〜８５０ｎｍの波長範囲における強度の積分値が９５０ｎｍ〜１２００ｎｍの波長範囲における強度の積分値よりも小さい
請求項２に記載の体毛用光美容装置。
【請求項４】
前記体毛用美容光は、８００ｎｍ〜１０００ｎｍの波長範囲における強度の積分値が１０００ｎｍ〜１２００ｎｍの波長範囲における強度の積分値よりも大きい
請求項１〜３のいずれか一項に記載の体毛用光美容装置。
【請求項５】
前記体毛用美容光は、８５０ｎｍ〜１０００ｎｍの波長範囲における強度の積分値が１０００ｎｍ〜１２００ｎｍの波長範囲における強度の積分値よりも大きい
請求項４に記載の体毛用光美容装置。
【請求項６】
前記体毛用美容光は、９００ｎｍ〜１０００ｎｍの波長範囲における強度の積分値が１０００ｎｍ〜１２００ｎｍの波長範囲における強度の積分値よりも大きい
請求項５に記載の体毛用光美容装置。
【請求項７】
前記体毛用美容光は、８００ｎｍ〜８６０ｎｍの波長範囲にピークを有していない
請求項１〜６のいずれか一項に記載の体毛用光美容装置。
【請求項８】
前記体毛用光美容装置は、キセノンランプおよびバンドパスフィルターを有し、
前記キセノンランプは、４００ｎｍ〜１２００ｎｍの波長範囲の光を照射し、
前記バンドパスフィルターは、８００ｎｍ〜１２００ｎｍの波長範囲外の光をカットすることにより、前記体毛用美容光を形成する
請求項１〜７のいずれか一項に記載の体毛用光美容装置。
【発明の詳細な説明】
【技術分野】
【０００１】
本発明は、体毛用光美容装置に関する。
【背景技術】
【０００２】
特許文献１は、従来の体毛用光美容装置の一例を開示している。特許文献１の体毛用光美容装置は、皮膚に光を照射することにより、毛髪の発育を抑制する。光は、一例として、５５０ｎｍ〜１２００ｎｍの波長範囲を有する。
【先行技術文献】
【特許文献】
【０００３】
【特許文献１】特表２００７−５０２６４２号公報
【発明の概要】
【発明が解決しようとする課題】
【０００４】
本願発明者は、特許文献１の体毛用美容装置が次の課題を有することを見出した。特許文献１の体毛用美容装置が照射する光は、波長範囲が広い。このため、毛髪の発育の抑制に対する貢献が低い成分を多く含む。このため、体毛の成長を抑制することに関してエネルギーが効率的に利用されていない。
【０００５】
本発明は、以上の背景をもとに創作されたものであり、体毛の成長を効率的に抑制することができる体毛用光美容装置を提供することを目的とする。
【課題を解決するための手段】
【０００６】
（１）本体毛用光美容装置の一形態は、次の事項を有する。体毛用光美容装置は、体毛用美容光を照射し、前記体毛用美容光は、８００ｎｍ〜１２００ｎｍの波長範囲における強度の積分値が４００ｎｍ〜８００ｎｍの波長範囲における強度の積分値よりも大きく、４００ｎｍ〜８５０ｎｍの波長範囲における強度の積分値が８５０ｎｍ〜１２００ｎｍの波長範囲における強度の積分値よりも小さい。
【０００７】
（２）上記体毛用光美容装置の一形態は、次の事項を有する。前記体毛用美容光は、４００ｎｍ〜８５０ｎｍの波長範囲における強度の積分値が９００ｎｍ〜１２００ｎｍの波長範囲における強度の積分値よりも小さい。
【０００８】
（３）上記体毛用光美容装置の一形態は、次の事項を有する。前記体毛用美容光は、４００ｎｍ〜８５０ｎｍの波長範囲における強度の積分値が９５０ｎｍ〜１２００ｎｍの波長範囲における強度の積分値よりも小さい。
【０００９】
（４）上記体毛用光美容装置の一形態は、次の事項を有する。前記体毛用美容光は、８００ｎｍ〜１０００ｎｍの波長範囲における強度の積分値が１０００ｎｍ〜１２００ｎｍの波長範囲における強度の積分値よりも大きい。
【００１０】
（５）上記体毛用光美容装置の一形態は、次の事項を有する。前記体毛用美容光は、８５０ｎｍ〜１０００ｎｍの波長範囲における強度の積分値が１０００ｎｍ〜１２００ｎｍの波長範囲における強度の積分値よりも大きい。
【００１１】
（６）上記体毛用光美容装置の一形態は、次の事項を有する。前記体毛用美容光は、９００ｎｍ〜１０００ｎｍの波長範囲における強度の積分値が１０００ｎｍ〜１２００ｎｍの波長範囲における強度の積分値よりも大きい。
【００１２】
（７）上記体毛用光美容装置の一形態は、次の事項を有する。前記体毛用美容光は、８００ｎｍ〜８６０ｎｍの波長範囲にピークを有していない。
（８）上記体毛用光美容装置の一形態は、次の事項を有する。前記体毛用光美容装置は、キセノンランプおよびバンドパスフィルターを有し、前記キセノンランプは、４００ｎｍ〜１２００ｎｍの波長範囲の光を照射し、前記バンドパスフィルターは、８００ｎｍ〜１２００ｎｍの波長範囲外の光をカットすることにより、前記体毛用美容光を形成する。
【００１３】
本願発明者は、４００ｎｍ〜１２００ｎｍの波長範囲の光と体毛美容作用との関係について検討し、その結果から得られた知見に基づいて、上記各体毛用光美容装置の体毛用美容光を見出した。なお、体毛美容作用は、生体の抑毛作用または脱毛作用を示す。抑毛は、生体における体毛の再生および成長が抑制される現象を示す。脱毛は、生体から体毛が抜ける現象を示す。
【００１４】
本願発明者は、４００ｎｍ〜１２００ｎｍの波長範囲に複数の波長範囲を規定し、各波長範囲の光エネルギーと体毛美容作用との関係を確認する実験を実施した。実験結果は、４００ｎｍ〜８５０ｎｍの波長範囲の光が８５０ｎｍ〜１２００ｎｍの波長範囲の光と比較して、光エネルギーの量に対する体毛美容作用の促進度合が低いことを示した。一方、実験結果は、４００ｎｍ〜８５０ｎｍの波長範囲における全ての単位波長の光が、８５０ｎｍ〜１２００ｎｍの波長範囲における全ての単位波長の光よりも体毛美容作用の促進度合が低いことを示していない。すなわち、実験結果は、上記の２つの波長範囲の光を総合的に対比した場合において、８５０ｎｍ〜１２００ｎｍの波長範囲の光が４００ｎｍ〜８５０ｎｍの波長範囲の光よりも、体毛美容作用を効率的に促進させやすいことを示している。
【００１５】
本願発明者は、上記実験結果から、体毛美容作用を効率的に促進させることに貢献する体毛用美容光を見出した。本願発明者は、この体毛用美容光において、４００ｎｍ〜８５０ｎｍの波長範囲における強度の積分値が８５０ｎｍ〜１２００ｎｍの波長範囲における強度の積分値よりも小さい光源スペクトルを規定した。このため、体毛用美容光は、４００ｎｍ〜８５０ｎｍの波長範囲における光エネルギーの量が８５０ｎｍ〜１２００ｎｍの波長範囲における光エネルギーの量よりも小さくなる。
【００１６】
上記各体毛用光美容装置の体毛用光美容装置は、体毛用美容光を照射する。このため、４００ｎｍ〜８５０ｎｍの波長範囲における強度の積分値が８５０ｎｍ〜１２００ｎｍの波長範囲における強度の積分値よりも大きい場合と比較して、体毛美容作用が効率的に促進されやすくなる。このため、体毛用光美容装置は、体毛の成長を効率的に抑制することができる。
【発明の効果】
【００１７】
本体毛用光美容装置は、体毛の成長を効率的に抑制することができる。
【図面の簡単な説明】
【００１８】
【図１】第１実施形態の体毛用光美容装置の構成を示す模式図。
【図２】第１実施形態の体毛用美容光の光源スペクトルを示すグラフ。
【図３】第２実施形態の体毛用美容光の光源スペクトルを示すグラフ。
【図４】第３実施形態の体毛用美容光の光源スペクトルを示すグラフ。
【図５】比較例の体毛用美容光の光源スペクトルを示すグラフ。
【発明を実施するための形態】
【００１９】
（第１実施形態）
体毛用光美容装置１０の構成について説明する。
体毛用光美容装置１０は、一例として、図１に示される構成を有する。体毛用光美容装置１０は、体毛用美容光を生体に照射することにより、生体の体毛美容作用を効率的に促進させることに貢献する。体毛用光美容装置１０は、体毛用美容光を生体に照射することにより、美容作用促進効果および副作用抑制効果を奏する。美容作用促進効果は、体毛美容作用を促進させることにより体毛の成長を抑制する効果を示す。副作用抑制効果は、皮膚の好ましくない副作用を生じさせにくくする効果を示す。体毛用光美容装置１０は、本体ユニット２０、光源ユニット３０、電源回路部４０、および制御部５０を有する。
【００２０】
本体ユニット２０は、一例として、使用者が把持することが可能な手持ち型の形態を有する。本体ユニット２０は、複数の構成部品を有する。本体ユニット２０の複数の構成部品は、一例として、本体ハウジング２１および本体側コネクター２２を含む。本体ユニット２０は、個別に形成された複数の構成部品が一体化された構造を有する。
【００２１】
本体ハウジング２１は、一例として、樹脂材料により形成されている。本体ハウジング２１は、縦長形状を有する。本体ハウジング２１は、内部に空間を有する。本体ハウジング２１は、内部空間に電源回路部４０および制御部５０を収容している。
【００２２】
本体側コネクター２２は、本体ハウジング２１と結合されている。本体側コネクター２２は、電源回路部４０と電気的に接続されている。本体側コネクター２２は、光源側コネクター３２との機械的な結合および分離が可能な構造を有する。本体側コネクター２２は、光源側コネクター３２と機械的に結合されているとき、光源側コネクター３２と電気的に接続される。
【００２３】
光源ユニット３０は、一例として、本体ユニット２０との結合および分離が可能なアタッチメントの形態を有する。光源ユニット３０は、複数の構成部品を有する。光源ユニット３０の複数の構成部品は、一例として、光源ハウジング３１、光源側コネクター３２、フィルター装着部３３、光源３４、リフレクター３５、レンズ３６、およびフィルター３７を含む。光源ユニット３０は、個別に形成された複数の構成部品が一体化された構造を有する。光源ユニット３０は、フィルター３７を別のフィルターと交換することができる。光源ユニット３０は、フィルター３７の種類に応じて、光源３４から照射される光の光源スペクトルを変更することができる。
【００２４】
光源ハウジング３１は、一例として、樹脂材料により形成されている。光源ハウジング３１は、円柱形状に類似する形状を有する。光源ハウジング３１は、内部に空間を有する。光源ハウジング３１は、内部空間に光源３４、リフレクター３５、およびレンズ３６を収容している。光源ハウジング３１は、異物侵入抑制構造を有する。異物侵入抑制構造は、外部の埃等が光源ハウジング３１の内部空間に侵入することを抑制する。光源ハウジング３１は、特定の波長範囲の光を吸収する。光源ハウジング３１は、一例として、８００ｎｍ未満の波長範囲の光を吸収する。光源ハウジング３１は、一例として、４００ｎｍ以上かつ８００ｎｍ未満の波長範囲の光を吸収する。
【００２５】
光源側コネクター３２は、光源ハウジング３１と結合されている。光源側コネクター３２は、光源３４と電気的に接続されている。光源側コネクター３２は、本体側コネクター２２との機械的な結合および分離が可能な構造を有する。光源側コネクター３２は、本体側コネクター２２と機械的に結合されているとき、本体側コネクター２２と電気的に接続される。
【００２６】
フィルター装着部３３は、円環形状に類似する形状を有する。フィルター装着部３３は、光源ハウジング３１の開口部に配置されている。フィルター装着部３３は、光源ハウジング３１と結合されている。フィルター装着部３３は、フィルター３７との機械的な結合および分離が可能な構造を有する。
【００２７】
光源３４は、光源ハウジング３１の内部空間に配置されている。光源３４は、光源ハウジング３１と結合されている。光源３４は、光源側コネクター３２と電気的に接続されている。光源３４は、一例として、キセノンランプ、レーザー、ＬＥＤ、または有機ＥＬにより形成される。光源３４としてのキセノンランプは、一例として、キセノンフラッシュランプの形態を有する。光源３４としてのキセノンフラッシュランプは、一例として、４００ｎｍ〜１２００ｎｍの波長範囲の成分を含む光を照射する。
【００２８】
リフレクター３５は、高い反射率を有する材料により形成されている。リフレクター３５は、一例として、金属材料、樹脂材料、またはセラミックにより形成される。リフレクター３５は、表面処理構造を有する。表面処理構造は、光源３４から照射された光の反射率を高める。表面処理構造は、一例として、鏡面処理された面、金属薄膜が塗布された面、または金属薄膜が蒸着された面を有する。
【００２９】
リフレクター３５は、光源ハウジング３１の内周面と結合されている。リフレクター３５は、光源３４から照射された光を光源ハウジング３１の開口部に向けて反射する。リフレクター３５は、誘電体薄膜を有する。誘電体薄膜は、特定の波長範囲の光を反射する。誘電体薄膜は、一例として、体毛美容作用の促進に貢献する波長の光を反射する。リフレクター３５は、一例として、８００ｎｍ未満の波長範囲の光を吸収する。リフレクター３５は、一例として、４００ｎｍ以上かつ８００ｎｍ未満の波長範囲の光を吸収する。
【００３０】
レンズ３６は、円形状に類似する形状を有する。レンズ３６は、特定の波長範囲において光の透過率が高い材料により形成されている。レンズ３６は、一例として、可視光の波長範囲から近赤外光の波長範囲の光の透過率が高い材料により形成される。レンズ３６は、一例として、アクリル、ポリカーボネート、またはガラスにより形成される。レンズ３６は、光源ハウジング３１の内部空間に配置されている。レンズ３６は、光源ハウジング３１に結合されている。レンズ３６は、リフレクター３５により反射された光を光源ハウジング３１の外部に向けて拡散する。レンズ３６は、エネルギー密度均一化構造を有する。エネルギー密度均一化構造は、光源ハウジング３１の開口部から所定の距離を隔てた外部の位置において光のエネルギー密度を均一化するための構造を有する。
【００３１】
フィルター３７は、主としてガラスにより形成されている。フィルター３７は、円形状に類似する形状を有する。フィルター３７は、光源ハウジング３１の開口部に配置されている。フィルター３７は、レンズ３６に対して光源ハウジング３１の外部側に配置されている。フィルター３７は、レンズ３６に重ね合わせられている。フィルター３７は、レンズ３６の外面を覆う。フィルター３７は、フィルター装着部３３との機械的な結合および分離が可能な構造を有する。フィルター３７は、フィルター装着部３３と機械的に結合されている。フィルター３７は、特定の波長範囲の光を吸収する。フィルター３７は、一例として、８００ｎｍ〜１２００ｎｍの波長範囲外の光を吸収することを意図して設計されている。フィルター３７は、光吸収構造を有する。
【００３２】
光吸収構造は、一例として、ガラス基材に光吸収成分が混ぜられた構造を有する。光吸収薄膜は、一例として、金属薄膜、誘電体薄膜、または金属および誘電体が混合された混合薄膜を含む。金属薄膜の金属の種類は、一例として、酸化チタン、酸化ジルコニウム、または酸化アルミニウムを含む。光吸収構造は、別の一例として、ガラス基材の表面に光吸収薄膜が形成された構造を有する。光吸収成分は、一例として、金属微粒子または金属微粒子の酸化物を含む。金属微粒子の金属の種類は、一例として、金、銀、銅、鉛、亜鉛、コバルト、またはマンガンを含む。光吸収薄膜は、単層構造または多層構造を有する。光吸収薄膜の多層構造は、一例として、真空蒸着により形成される。光吸収構造は、一例として、８００ｎｍ未満の波長範囲の光を吸収する。光吸収構造は、一例として、４００ｎｍ以上かつ８００ｎｍ未満の波長範囲の光を吸収する。
【００３３】
光源ハウジング３１、リフレクター３５、およびフィルター３７は、それぞれ８００ｎｍ未満の波長範囲の光を吸収する。このため、光源ハウジング３１およびリフレクター３５の少なくとも一方が光を吸収しないと仮定した構成と比較して、フィルター３７の温度の上昇が抑制される。
【００３４】
フィルター３７を透過した体毛用美容光は、好ましくは８００ｎｍ〜１２００ｎｍの波長範囲に含まれる成分のみを有する。フィルター３７を透過した体毛用美容光は、８００ｎｍ〜１２００ｎｍの波長範囲外の成分を含むこともある。この場合、８００ｎｍ〜１２００ｎｍの波長範囲外の成分は、８００ｎｍ〜１２００ｎｍの波長範囲に含まれる成分と比較して、光エネルギーの量が十分に小さい。このため、８００ｎｍ〜１２００ｎｍの波長範囲外の成分は、体毛および皮膚等に及ぼす影響が小さい。
【００３５】
電源回路部４０は、本体ハウジング２１の内部空間に収容されている。電源回路部４０は、本体ハウジング２１に内蔵された電源の電力、または外部電源から供給された電力を光源３４に供給する。
【００３６】
制御部５０は、本体ハウジング２１の内部空間に収容されている。制御部５０は、光源３４に供給される電圧および電流の少なくとも一方を制御する。制御部５０は、電圧および電流の少なくとも一方の制御により、光源３４から光を照射させる。制御部５０は、電圧および電流の少なくとも一方の制御により、光源３４が１回の動作により照射する光エネルギーの総量を調整する。制御部５０は、電圧および電流の少なくとも一方の制御により、光源３４が１回の動作により光を照射する時間（以下、「照射時間」）を調整する。制御部５０は、電圧および電流の少なくとも一方の制御により、光源３４が１回の動作により照射する光のエネルギー密度を調整する。制御部５０は、一例として、１回あたりの照射時間を６００μｓ〜２ｍｓの範囲に設定する。制御部５０は、一例として、光のエネルギー密度を０．２〜１．５（Ｊ／ｃｍ２）の範囲に設定する。光のエネルギー密度は、分光放射照度の波長積分値および照射時間により規定される。
【００３７】
体毛用美容光は、一例として、図２に示される光源スペクトルを有する。体毛用美容光の光源スペクトルは、光源３４から照射された光がレンズ３６およびフィルター３７を透過することにより形成される。
【００３８】
本願発明者は、４００ｎｍ〜１２００ｎｍの波長範囲に複数の波長範囲を規定し、各波長範囲の光エネルギーと体毛美容作用との関係を確認する実験を実施した。実験結果は、４００ｎｍ〜８５０ｎｍの波長範囲の光が８５０ｎｍ〜１２００ｎｍの波長範囲の光と比較して、光エネルギーの量に対する体毛美容作用の促進度合が低いことを示した。一方、実験結果は、４００ｎｍ〜８５０ｎｍの波長範囲における全ての単位波長の光が、８５０ｎｍ〜１２００ｎｍの波長範囲における全ての単位波長の光よりも体毛美容作用の促進度合が低いことを示していない。すなわち、実験結果は、上記の２つの波長範囲の光を総合的に対比した場合において、８５０ｎｍ〜１２００ｎｍの波長範囲の光が４００ｎｍ〜８５０ｎｍの波長範囲の光よりも、体毛美容作用を効率的に促進させやすいことを示している。
【００３９】
本願発明者は、上記実験結果から、一例として図２の体毛用美容光を見出した。本願発明者は、この体毛用美容光において、４００ｎｍ〜８５０ｎｍの波長範囲における強度の積分値が８５０ｎｍ〜１２００ｎｍの波長範囲における強度の積分値よりも小さい光源スペクトルを規定した。このため、体毛用美容光は、４００ｎｍ〜８５０ｎｍの波長範囲における光エネルギーの量が８５０ｎｍ〜１２００ｎｍの波長範囲における光エネルギーの量よりも小さくなる。
【００４０】
体毛用光美容装置１０は、以上のとおり新規な知見に基づいて形成されている。この知見は、本願出願前の体毛用光美容装置の分野において知られていない。このことは、体毛用光美容装置１０が本願発明者の独創的な着想により創作された装置であることを示している。
【００４１】
体毛用美容光の光源スペクトルについて説明する。
体毛用光美容装置１０は、一例として、光の強度を分光放射照度（μＷ／ｃｍ２／ｎｍ）により規定している。体毛用美容光は、８００ｎｍ〜１２００ｎｍの波長範囲における強度の積分値が４００ｎｍ〜８００ｎｍの波長範囲における強度の積分値よりも大きい。体毛用美容光は、８００ｎｍ〜１２００ｎｍの波長範囲において有意なピークを有し、８００ｎｍよりも短い波長範囲において有意なピークを有していない。体毛用美容光に関する説明は、体毛用美容光が有意なピークを有することを、「ピークを有する」等の表現により記述している。体毛用美容光に関する説明は、体毛用美容光が有意なピークを有していないことを、「ピークを有していない」等の表現により記述している。
【００４２】
体毛用美容光は、一定の分光放射照度以上の大きさを有する波長成分、および一定の分光放射照度未満の大きさを有する波長成分に区分することができる。一定の分光放射照度以上の大きさを有する波長成分は、体毛の成長に対して有意な影響を及ぼすと考えられる成分を示す。一定の分光放射照度未満の大きさを有する波長成分は、体毛の成長に対して有意な影響を及ぼすことがないと考えられる成分を示す。体毛用美容光の有意なピークは、一定の分光放射照度以上の大きさを有する波長成分において現れるピークを示す。
【００４３】
体毛用光美容装置１０は、４００ｎｍ〜１２００ｎｍの波長範囲において、８５０ｎｍの波長を境界として２種類の波長範囲を規定する。２種類の波長範囲は、２区分低位波長範囲ＷＸ１および２区分高位波長範囲ＷＸ２を示す。２区分低位波長範囲ＷＸ１は、４００ｎｍ以上かつ８００ｎｍ未満の波長範囲を示す。２区分高位波長範囲ＷＸ２は、８００ｎｍ〜１２００ｎｍの波長範囲を示す。
【００４４】
体毛用光美容装置１０は、８００ｎｍ〜１２００ｎｍの波長範囲において、１００ｎｍを区分波長単位として４種類の波長範囲を規定する。４種類の波長範囲は、第１基準波長範囲Ｗ１０、第２基準波長範囲Ｗ２０、第３基準波長範囲Ｗ３０、および第４基準波長範囲Ｗ４０を示す。第１基準波長範囲Ｗ１０は、８００ｎｍ〜９００ｎｍの波長範囲を示す。第２基準波長範囲Ｗ２０は、９００ｎｍ〜１０００ｎｍの波長範囲を示す。第３基準波長範囲Ｗ３０は、１０００ｎｍ〜１１００ｎｍの波長範囲を示す。第４基準波長範囲Ｗ４０は、１１００ｎｍ〜１２００ｎｍの波長範囲を示す。
【００４５】
体毛用光美容装置１０は、第１基準波長範囲Ｗ１０において、５０ｎｍを区分波長単位として２種類の波長範囲を規定する。２種類の波長範囲は、第１基準低位範囲Ｗ１１および第１基準高位範囲Ｗ１２を示す。第１基準低位範囲Ｗ１１は、８００ｎｍ〜８５０ｎｍの波長範囲を示す。第１基準高位範囲Ｗ１２は、８５０ｎｍ〜９００ｎｍの波長範囲を示す。
【００４６】
体毛用光美容装置１０は、第２基準波長範囲Ｗ２０において、５０ｎｍを区分波長単位として２種類の波長範囲を規定する。２種類の波長範囲は、第２基準低位範囲Ｗ２１および第２基準高位範囲Ｗ２２を示す。第２基準低位範囲Ｗ２１は、９００ｎｍ〜９５０ｎｍの波長範囲を示す。第２基準高位範囲Ｗ２２は、９５０ｎｍ〜１０００ｎｍの波長範囲を示す。
【００４７】
体毛用光美容装置１０は、第３基準波長範囲Ｗ３０において、５０ｎｍを区分波長単位として２種類の波長範囲を規定する。２種類の波長範囲は、第３基準低位範囲Ｗ３１および第３基準高位範囲Ｗ３２を示す。第３基準低位範囲Ｗ３１は、１０００ｎｍ〜１０５０ｎｍの波長範囲を示す。第３基準高位範囲Ｗ３２は、１０５０ｎｍ〜１１００ｎｍの波長範囲を示す。
【００４８】
体毛用光美容装置１０は、第４基準波長範囲Ｗ４０において、５０ｎｍを区分波長単位として２種類の波長範囲を規定する。２種類の波長範囲は、第４基準低位範囲Ｗ４１および第４基準高位範囲Ｗ４２を示す。第４基準低位範囲Ｗ４１は、１１００ｎｍ〜１１５０ｎｍの波長範囲を示す。第４基準高位範囲Ｗ４２は、１１５０ｎｍ〜１２００ｎｍの波長範囲を示す。
【００４９】
体毛用美容光は、８６０ｎｍよりも大きくかつ１２００ｎｍ以下の波長範囲に複数のピークを有する。体毛用美容光は、第２基準波長範囲Ｗ２０に第１波形最大ピークＰ１を有する。体毛用美容光は、８００ｎｍ〜８６０ｎｍの波長範囲にピークを有していない。体毛用美容光は、４００ｎｍ以上かつ８００ｎｍ未満の波長範囲にピークを有していない。第１波形最大ピークＰ１は、一例として、１３６００（μＷ／ｃｍ２／ｎｍ）の分光放射照度を有する。
【００５０】
第１波形最大ピークＰ１は、第１波形適正ピーク範囲に含まれることが好ましい。第１波形適正ピーク範囲は、好ましい美容作用促進効果が得られるピーク範囲を示す。第１波形適正ピーク範囲は、一例として、２７００〜１９９００（μＷ／ｃｍ２／ｎｍ）の範囲を有する。第１波形適正ピーク範囲は、好ましい一例として、９３００〜１７３００（μＷ／ｃｍ２／ｎｍ）の範囲を有する。
【００５１】
体毛用光美容装置１０は、複数の波長範囲のそれぞれにおける強度の積分値を規定する。各波長範囲の強度の積分値は、２区分低位積分値ＳＸ１、２区分高位積分値ＳＸ２、第１基準範囲積分値Ｓ１０、第２基準範囲積分値Ｓ２０、第３基準範囲積分値Ｓ３０、および第４基準範囲積分値Ｓ４０を含む。第１基準範囲積分値Ｓ１０は、第１基準低位積分値Ｓ１１および第１基準高位積分値Ｓ１２を含む。第２基準範囲積分値Ｓ２０は、第２基準低位積分値Ｓ２１および第２基準高位積分値Ｓ２２を含む。第３基準範囲積分値Ｓ３０は、第３基準低位積分値Ｓ３１および第３基準高位積分値Ｓ３２を含む。第４基準範囲積分値Ｓ４０は、第４基準低位積分値Ｓ４１および第４基準高位積分値Ｓ４２を含む。
【００５２】
第１基準範囲積分値Ｓ１０は、第１基準波長範囲Ｗ１０における分光放射照度の積分値を示す。第１基準低位積分値Ｓ１１は、第１基準低位範囲Ｗ１１における分光放射照度の積分値を示す。第１基準高位積分値Ｓ１２は、第１基準高位範囲Ｗ１２における分光放射照度の積分値を示す。
【００５３】
第２基準範囲積分値Ｓ２０は、第２基準波長範囲Ｗ２０における分光放射照度の積分値を示す。第２基準低位積分値Ｓ２１は、第２基準低位範囲Ｗ２１における分光放射照度の積分値を示す。第２基準高位積分値Ｓ２２は、第２基準高位範囲Ｗ２２における分光放射照度の積分値を示す。
【００５４】
第３基準範囲積分値Ｓ３０は、第３基準波長範囲Ｗ３０における分光放射照度の積分値を示す。第３基準低位積分値Ｓ３１は、第３基準低位範囲Ｗ３１における分光放射照度の積分値を示す。第３基準高位積分値Ｓ３２は、第３基準高位範囲Ｗ３２における分光放射照度の積分値を示す。
【００５５】
第４基準範囲積分値Ｓ４０は、第４基準波長範囲Ｗ４０における分光放射照度の積分値を示す。第４基準低位積分値Ｓ４１は、第４基準低位範囲Ｗ４１における分光放射照度の積分値を示す。第４基準高位積分値Ｓ４２は、第４基準高位範囲Ｗ４２における分光放射照度の積分値を示す。
【００５６】
２区分低位積分値ＳＸ１は、２区分低位適正範囲に含まれる。２区分低位適正範囲は、好ましい副作用抑制効果が得られる積分値範囲を示す。２区分低位適正範囲は、一例として、０．０１〜０．０５（μＷ／ｃｍ２）の範囲を有する。２区分低位適正範囲は、好ましい一例として、０．０３〜０．０４（μＷ／ｃｍ２）の範囲を有する。
【００５７】
２区分高位積分値ＳＸ２は、２区分高位適正範囲に含まれる。２区分高位適正範囲は、好ましい美容作用促進効果および副作用抑制効果が得られる積分値範囲を示す。２区分高位適正範囲は、一例として、０．１９〜１．４５（μＷ／ｃｍ２）の範囲を有する。２区分高位適正範囲は、好ましい一例として、０．６７〜１．２６（μＷ／ｃｍ２）の範囲を有する。
【００５８】
第１基準範囲積分値Ｓ１０は、第１基準適正範囲に含まれることが好ましい。第１基準適正範囲は、好ましい美容作用促進効果および副作用抑制効果が得られる積分値範囲を示す。第１基準適正範囲は、一例として、０．０３〜０．２１（μＷ／ｃｍ２）の範囲を有する。第１基準適正範囲は、好ましい一例として、０．１０〜０．１９（μＷ／ｃｍ２）の範囲を有する。体毛用美容光は、第１基準適正範囲に含まれる第１基準範囲積分値Ｓ１０を有する。
【００５９】
第１基準低位積分値Ｓ１１は、第１低位適正範囲に含まれることが好ましい。第１低位適正範囲は、好ましい美容作用促進効果および副作用抑制効果が得られる積分値範囲を示す。第１低位適正範囲は、一例として、０〜０．０１（μＷ／ｃｍ２）の範囲を有する。第１低位適正範囲は、好ましい一例として、０．００５〜０．０１（μＷ／ｃｍ２）の範囲を有する。体毛用美容光は、第１低位適正範囲に含まれる第１基準低位積分値Ｓ１１を有する。
【００６０】
第１基準高位積分値Ｓ１２は、第１高位適正範囲に含まれることが好ましい。第１高位適正範囲は、好ましい美容作用促進効果および副作用抑制効果が得られる積分値範囲を示す。第１高位適正範囲は、一例として、０．０３〜０．２０（μＷ／ｃｍ２）の範囲を有する。第１高位適正範囲は、好ましい一例として、０．０９〜０．１８（μＷ／ｃｍ２）の範囲を有する。体毛用美容光は、第１高位適正範囲に含まれる第１基準高位積分値Ｓ１２を有する。
【００６１】
第２基準範囲積分値Ｓ２０は、第２基準適正範囲に含まれることが好ましい。第２基準適正範囲は、好ましい美容作用促進効果および副作用抑制効果が得られる積分値範囲を示す。第２基準適正範囲は、一例として、０．０９〜０．６８（μＷ／ｃｍ２）の範囲を有する。第２基準適正範囲は、好ましい一例として、０．３２〜０．５９（μＷ／ｃｍ２）の範囲を有する。体毛用美容光は、第２基準適正範囲に含まれる第２基準範囲積分値Ｓ２０を有する。
【００６２】
第２基準低位積分値Ｓ２１は、第２低位適正範囲に含まれることが好ましい。第２低位適正範囲は、好ましい美容作用促進効果および副作用抑制効果が得られる積分値範囲を示す。第２低位適正範囲は、一例として、０．０５〜０．３８（μＷ／ｃｍ２）の範囲を有する。第２低位適正範囲は、好ましい一例として、０．１８〜０．３３（μＷ／ｃｍ２）の範囲を有する。体毛用美容光は、第２低位適正範囲に含まれる第２基準低位積分値Ｓ２１を有する。
【００６３】
第２基準高位積分値Ｓ２２は、第２高位適正範囲に含まれることが好ましい。第２高位適正範囲は、好ましい美容作用促進効果および副作用抑制効果が得られる積分値範囲を示す。第２高位適正範囲は、一例として、０．０４〜０．３１（μＷ／ｃｍ２）の範囲を有する。第２高位適正範囲は、好ましい一例として、０．１４〜０．２６（μＷ／ｃｍ２）の範囲を有する。体毛用美容光は、第２高位適正範囲に含まれる第２基準高位積分値Ｓ２２を有する。
【００６４】
第３基準範囲積分値Ｓ３０は、第３基準適正範囲に含まれることが好ましい。第３基準適正範囲は、好ましい美容作用促進効果および副作用抑制効果が得られる積分値範囲を示す。第３基準適正範囲は、一例として、０．０４〜０．２９（μＷ／ｃｍ２）の範囲を有する。第３基準適正範囲は、好ましい一例として、０．１４〜０．２５（μＷ／ｃｍ２）の範囲を有する。体毛用美容光は、第３基準適正範囲に含まれる第３基準範囲積分値Ｓ３０を有する。
【００６５】
第３基準低位積分値Ｓ３１は、第３低位適正範囲に含まれることが好ましい。第３低位適正範囲は、好ましい美容作用促進効果および副作用抑制効果が得られる積分値範囲を示す。第３低位適正範囲は、一例として、０．０２〜０．１７（μＷ／ｃｍ２）の範囲を有する。第３低位適正範囲は、好ましい一例として、０．０８〜０．１５（μＷ／ｃｍ２）の範囲を有する。体毛用美容光は、第３低位適正範囲に含まれる第３基準低位積分値Ｓ３１を有する。
【００６６】
第３基準高位積分値Ｓ３２は、第３高位適正範囲に含まれることが好ましい。第３高位適正範囲は、好ましい美容作用促進効果および副作用抑制効果が得られる積分値範囲を示す。第３高位適正範囲は、一例として、０．０２〜０．１３（μＷ／ｃｍ２）の範囲を有する。第３高位適正範囲は、好ましい一例として、０．０６〜０．１１（μＷ／ｃｍ２）の範囲を有する。体毛用美容光は、第３高位適正範囲に含まれる第３基準高位積分値Ｓ３２を有する。
【００６７】
第４基準範囲積分値Ｓ４０は、第４基準適正範囲に含まれることが好ましい。第４基準適正範囲は、好ましい美容作用促進効果および副作用抑制効果が得られる積分値範囲を示す。第４基準適正範囲は、一例として、０．０３〜０．２０（μＷ／ｃｍ２）の範囲を有する。第４基準適正範囲は、好ましい一例として、０．０９〜０．１７（μＷ／ｃｍ２）の範囲を有する。体毛用美容光は、第４基準適正範囲に含まれる第４基準範囲積分値Ｓ４０を有する。
【００６８】
第４基準低位積分値Ｓ４１は、第４低位適正範囲に含まれることが好ましい。第４低位適正範囲は、好ましい美容作用促進効果および副作用抑制効果が得られる積分値範囲を示す。第４低位適正範囲は、一例として、０．０１〜０．１０（μＷ／ｃｍ２）の範囲を有する。第４低位適正範囲は、好ましい一例として、０．０５〜０．０９（μＷ／ｃｍ２）の範囲を有する。体毛用美容光は、第４低位適正範囲に含まれる第４基準低位積分値Ｓ４１を有する。
【００６９】
第４基準高位積分値Ｓ４２は、第４高位適正範囲に含まれることが好ましい。第４高位適正範囲は、好ましい美容作用促進効果および副作用抑制効果が得られる積分値範囲を示す。第４高位適正範囲は、一例として、０．０１〜０．１０（μＷ／ｃｍ２）の範囲を有する。第４高位適正範囲は、好ましい一例として、０．０５〜０．０８（μＷ／ｃｍ２）の範囲を有する。体毛用美容光は、第４高位適正範囲に含まれる第４基準高位積分値Ｓ４２を有する。
【００７０】
各強度積分値は、以下の関係を有する。
２区分低位積分値ＳＸ１は、第１基準高位積分値Ｓ１２、第２基準範囲積分値Ｓ２０、第３基準範囲積分値Ｓ３０、および第４基準範囲積分値Ｓ４０の合計値よりも小さい。すなわち、４００ｎｍ〜８５０ｎｍの波長範囲における光エネルギーの量は、８５０ｎｍ〜１２００ｎｍの波長範囲における光エネルギーの量よりも少ない。
【００７１】
２区分低位積分値ＳＸ１は、第２基準範囲積分値Ｓ２０、第３基準範囲積分値Ｓ３０、および第４基準範囲積分値Ｓ４０の合計値よりも小さい。すなわち、４００ｎｍ〜８５０ｎｍの波長範囲における光エネルギーの量は、９００ｎｍ〜１２００ｎｍの波長範囲における光エネルギーの量よりも少ない。
【００７２】
２区分低位積分値ＳＸ１は、第２基準高位積分値Ｓ２２、第３基準範囲積分値Ｓ３０、および第４基準範囲積分値Ｓ４０の合計値よりも小さい。すなわち、４００ｎｍ〜８５０ｎｍの波長範囲における光エネルギーの量は、９５０ｎｍ〜１２００ｎｍの波長範囲における光エネルギーの量よりも少ない。
【００７３】
２区分低位積分値ＳＸ１は、第３基準範囲積分値Ｓ３０および第４基準範囲積分値Ｓ４０の合計値よりも小さい。すなわち、４００ｎｍ〜８５０ｎｍの波長範囲における光エネルギーの量は、１０００ｎｍ〜１２００ｎｍの波長範囲における光エネルギーの量よりも少ない。
【００７４】
２区分低位積分値ＳＸ１は、第３基準高位積分値Ｓ３２および第４基準範囲積分値Ｓ４０の合計値よりも小さい。すなわち、４００ｎｍ〜８５０ｎｍの波長範囲における光エネルギーの量は、１０５０ｎｍ〜１２００ｎｍの波長範囲における光エネルギーの量よりも少ない。
【００７５】
２区分低位積分値ＳＸ１は、第１基準範囲積分値Ｓ１０よりも小さい。すなわち、４００ｎｍ〜８５０ｎｍの波長範囲における光エネルギーの量は、８００ｎｍ〜９００ｎｍの波長範囲における光エネルギーの量よりも少ない。
【００７６】
２区分低位積分値ＳＸ１は、第１基準高位積分値Ｓ１２よりも小さい。すなわち、４００ｎｍ〜８５０ｎｍの波長範囲における光エネルギーの量は、８５０ｎｍ〜９００ｎｍの波長範囲における光エネルギーの量よりも少ない。
【００７７】
２区分低位積分値ＳＸ１は、第２基準範囲積分値Ｓ２０よりも小さい。すなわち、４００ｎｍ〜８５０ｎｍの波長範囲における光エネルギーの量は、９００ｎｍ〜１０００ｎｍの波長範囲における光エネルギーの量よりも少ない。
【００７８】
２区分低位積分値ＳＸ１は、第２基準低位積分値Ｓ２１よりも小さい。すなわち、４００ｎｍ〜８５０ｎｍの波長範囲における光エネルギーの量は、９００ｎｍ〜９５０ｎｍの波長範囲における光エネルギーの量よりも少ない。
【００７９】
２区分低位積分値ＳＸ１は、第２基準高位積分値Ｓ２２よりも小さい。すなわち、４００ｎｍ〜８５０ｎｍの波長範囲における光エネルギーの量は、９５０ｎｍ〜１０００ｎｍの波長範囲における光エネルギーの量よりも少ない。
【００８０】
２区分低位積分値ＳＸ１は、第３基準範囲積分値Ｓ３０よりも小さい。すなわち、４００ｎｍ〜８５０ｎｍの波長範囲における光エネルギーの量は、１０００ｎｍ〜１１００ｎｍの波長範囲における光エネルギーの量よりも少ない。
【００８１】
２区分低位積分値ＳＸ１は、第３基準低位積分値Ｓ３１よりも小さい。すなわち、４００ｎｍ〜８５０ｎｍの波長範囲における光エネルギーの量は、１０００ｎｍ〜１０５０ｎｍの波長範囲における光エネルギーの量よりも少ない。
【００８２】
２区分低位積分値ＳＸ１は、第３基準高位積分値Ｓ３２よりも小さい。すなわち、４００ｎｍ〜８５０ｎｍの波長範囲における光エネルギーの量は、１０５０ｎｍ〜１１００ｎｍの波長範囲における光エネルギーの量よりも少ない。
【００８３】
２区分低位積分値ＳＸ１は、第４基準範囲積分値Ｓ４０よりも小さい。すなわち、４００ｎｍ〜８５０ｎｍの波長範囲における光エネルギーの量は、１１００ｎｍ〜１２００ｎｍの波長範囲における光エネルギーの量よりも少ない。
【００８４】
２区分低位積分値ＳＸ１は、第４基準低位積分値Ｓ４１よりも小さい。すなわち、４００ｎｍ〜８５０ｎｍの波長範囲における光エネルギーの量は、１１００ｎｍ〜１１５０ｎｍの波長範囲における光エネルギーの量よりも少ない。
【００８５】
２区分低位積分値ＳＸ１は、第４基準高位積分値Ｓ４２よりも小さい。すなわち、４００ｎｍ〜８５０ｎｍの波長範囲における光エネルギーの量は、１１５０ｎｍ〜１２００ｎｍの波長範囲における光エネルギーの量よりも少ない。
【００８６】
第１基準範囲積分値Ｓ１０および第２基準範囲積分値Ｓ２０の合計値は、第３基準範囲積分値Ｓ３０および第４基準範囲積分値Ｓ４０の合計値よりも大きい。すなわち、８００ｎｍ〜１０００ｎｍの波長範囲における光エネルギーの量は、１０００ｎｍ〜１２００ｎｍの波長範囲における光エネルギーの量よりも多い。
【００８７】
第１基準高位積分値Ｓ１２および第２基準範囲積分値Ｓ２０の合計値は、第３基準範囲積分値Ｓ３０および第４基準範囲積分値Ｓ４０の合計値よりも大きい。すなわち、８５０ｎｍ〜１０００ｎｍの波長範囲における光エネルギーの量は、１０００ｎｍ〜１２００ｎｍの波長範囲における光エネルギーの量よりも多い。
【００８８】
第２基準範囲積分値Ｓ２０は、第３基準範囲積分値Ｓ３０および第４基準範囲積分値Ｓ４０の合計値よりも大きい。すなわち、９００ｎｍ〜１０００ｎｍの波長範囲における光エネルギーの量は、１０００ｎｍ〜１２００ｎｍの波長範囲における光エネルギーの量よりも多い。
【００８９】
第２基準範囲積分値Ｓ２０は、第４基準範囲積分値Ｓ４０よりも大きい。すなわち、９００ｎｍ〜１０００ｎｍの波長範囲における光エネルギーの量は、１１００ｎｍ〜１２００ｎｍの波長範囲における光エネルギーの量よりも多い。
【００９０】
第３基準範囲積分値Ｓ３０は、第４基準範囲積分値Ｓ４０よりも大きい。すなわち、１０００ｎｍ〜１１００ｎｍの波長範囲における光エネルギーの量は、１１００ｎｍ〜１２００ｎｍの波長範囲における光エネルギーの量よりも多い。
【００９１】
第１基準高位積分値Ｓ１２は、第４基準範囲積分値Ｓ４０よりも大きい。すなわち、８５０ｎｍ〜９００ｎｍの波長範囲における光エネルギーの量は、１１００ｎｍ〜１２００ｎｍの波長範囲における光エネルギーの量よりも多い。
【００９２】
第２基準低位積分値Ｓ２１は、第４基準範囲積分値Ｓ４０よりも大きい。すなわち、９００ｎｍ〜９５０ｎｍの波長範囲における光エネルギーの量は、１１００ｎｍ〜１２００ｎｍの波長範囲における光エネルギーの量よりも多い。
【００９３】
第２基準高位積分値Ｓ２２は、第４基準範囲積分値Ｓ４０よりも大きい。すなわち、９５０ｎｍ〜１０００ｎｍの波長範囲における光エネルギーの量は、１１００ｎｍ〜１２００ｎｍの波長範囲における光エネルギーの量よりも多い。
【００９４】
体毛用光美容装置１０は、以下の効果を奏する。
（１）体毛用光美容装置１０は、体毛用美容光を照射する。体毛用美容光は、８００ｎｍ〜１２００ｎｍの波長範囲における強度の積分値が４００ｎｍ〜８００ｎｍの波長範囲における強度の積分値よりも大きい。本願発明者は、この特徴を有する体毛用美容光により次の効果が得られることを実験により確認した。この体毛用美容光は、体毛美容作用を促進させることに貢献する。このため、体毛用光美容装置１０は、体毛の成長を抑制することができる。
【００９５】
体毛美容作用が促進されやすくなる理由は、次のように考えられる。
生体は、メラニンおよび酸化ヘモグロビン以外のその他の光吸収成分を有する。その他の光吸収成分は、表皮の近くよりも生体内の深部に多く存在する。メラニンは、表皮に近い部分に存在するメラニン、および生体内の深部に存在するメラニンに分類される。すなわち、生体内に存在する光吸収成分は、生体内における表皮の近くに存在する成分、および生体内の深部に存在する成分に分類することができる。表皮の近くに存在する成分は、主として、メラニンおよび酸化ヘモグロビンを含む。生体内の深部に存在する成分は、主として、メラニンおよびその他の光吸収成分を含む。
【００９６】
生体内の深部に存在する光吸収成分は、体毛美容作用を促進させることに対する影響が大きい。このため、体毛美容作用は、生体内の深部に存在する光吸収成分がより多くの光を吸収することにより、促進されやすくなる。
【００９７】
一方、光は、生体内に入射する深さが波長に応じて異なる。長波長の光は、短波長の光と比較して、表皮の近くに存在する光吸収成分に吸収されにくい。長波長の光は、短波長の光と比較して、生体内の深部に到達しやすい。このため、一例として、８００ｎｍ〜１２００ｎｍの波長範囲の光は、４００ｎｍ〜８００ｎｍの波長範囲の光よりも生体内の深部に存在する光吸収成分に吸収されやすい。
【００９８】
体毛用美容光は、生体内の深部に存在する光吸収成分に吸収されやすい８００ｎｍ〜１２００ｎｍの波長範囲における強度の積分値が大きい。このため、体毛用美容光は、光吸収成分に多くの光エネルギーを付与する。このため、体毛美容作用が促進されやすくなる。８００ｎｍ〜１２００ｎｍの波長範囲の光は、表皮の近くに存在する光吸収成分に吸収されにくい。このため、体毛用美容光は、皮膚に影響を及ぼしにくい。
【００９９】
（２）体毛用美容光は、４００ｎｍ〜８５０ｎｍの波長範囲における強度の積分値が８５０ｎｍ〜１２００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、８５０ｎｍ〜１２００ｎｍの波長範囲における強度の積分値よりも大きい場合と比較して、体毛美容作用を効率的に促進させることに貢献する。
【０１００】
体毛美容作用が効率的に促進されやすくなる理由は、次のように考えられる。
８５０ｎｍ〜１２００ｎｍの波長範囲の光は、上記（１）に示される理由と同様の理由により、４００ｎｍ〜８５０ｎｍの波長範囲の光よりも生体内の深部に存在する光吸収成分に吸収されやすい。このため、生体内の深部に存在する光吸収成分は、８５０ｎｍ〜１２００ｎｍの波長範囲における吸光度積分値が４００ｎｍ〜８５０ｎｍの波長範囲における吸光度積分値よりも大きい場合、光からより多くの光エネルギーを受けることができる。このため、体毛用美容光は、体毛美容作用を効率的に促進させることに貢献する。なお、吸光度積分値は、光吸収成分の光源スペクトルにおいて吸光度を波長により積分した値を示す。
【０１０１】
（３）体毛用美容光は、上記（２）の特徴を有する。本願発明者は、この特徴を有する体毛用美容光により次の効果が得られることを実験により確認した。この体毛用美容光は、４００ｎｍ〜８５０ｎｍの波長範囲における強度の積分値が、８５０ｎｍ〜１２００ｎｍの波長範囲における強度の積分値よりも大きい場合と比較して、好ましい副作用抑制効果を奏する。
【０１０２】
好ましい副作用抑制効果が得られる理由は、次のように考えられる。
酸化ヘモグロビンは、４００ｎｍ〜６００ｎｍの波長範囲において吸光度のピークを有する。このため、４００ｎｍ〜６００ｎｍの波長範囲における光エネルギーの量が多い場合、酸化ヘモグロビンに吸収される光エネルギーの量が多くなる。このため、皮膚の好ましくない副作用が生じるおそれが高くなる。
【０１０３】
本願発明者は、ユーメラニンおよびフェオメラニンの光の吸収率に関する実験を行い、次の結果を得た。ユーメラニンは、４００ｎｍ〜１２００ｎｍの波長範囲において光の吸収率が高い。フェオメラニンは、４００ｎｍ〜７００ｎｍの波長範囲において光の吸収率が高い。フェオメラニンは、４００ｎｍ〜７００ｎｍの波長範囲において、波長が短くなるにつれて吸収率がさらに高くなる。このため、４００ｎｍ〜７００ｎｍの波長範囲における光エネルギーの量が多い場合、ユーメラニンおよびフェオメラニンの両方に吸収される光エネルギーの量が多くなる。このため、皮膚の好ましくない副作用が生じるおそれが高くなる。
【０１０４】
体毛用美容光は、酸化ヘモグロビンおよびメラニンが光を吸収しやすい波長範囲における光エネルギーの量が相対的に少ない。このため、体毛用美容光は、好ましい副作用抑制効果を奏する。
【０１０５】
（４）体毛用光美容装置１０は、上記（１）〜（３）の効果を併せて奏する。すなわち、体毛用光美容装置１０は、皮膚の好ましくない副作用を生じさせにくく、かつ体毛の成長を抑制することができる。
【０１０６】
（５）体毛用美容光は、上記（１）〜（３）の特徴に併せて、次の特徴を有する。体毛用美容光は、４００ｎｍ〜８５０ｎｍの波長範囲における強度の積分値が９００ｎｍ〜１２００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、９００ｎｍ〜１２００ｎｍの波長範囲における強度の積分値よりも大きい場合と比較して、好ましい美容作用促進効果および副作用抑制効果を奏する。
【０１０７】
（６）体毛用美容光は、上記（１）〜（３）の特徴に併せて、次の特徴を有する。体毛用美容光は、４００ｎｍ〜８５０ｎｍの波長範囲における強度の積分値が９５０ｎｍ〜１２００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、９５０ｎｍ〜１２００ｎｍの波長範囲における強度の積分値よりも大きい場合と比較して、好ましい美容作用促進効果および副作用抑制効果を奏する。
【０１０８】
（７）体毛用美容光は、上記（１）〜（３）の特徴に併せて、次の特徴を有する。体毛用美容光は、４００ｎｍ〜８５０ｎｍの波長範囲における強度の積分値が１０００ｎｍ〜１２００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、１０００ｎｍ〜１２００ｎｍの波長範囲における強度の積分値よりも大きい場合と比較して、好ましい美容作用促進効果および副作用抑制効果を奏する。
【０１０９】
（８）体毛用美容光は、上記（１）〜（３）の特徴に併せて、次の特徴を有する。体毛用美容光は、４００ｎｍ〜８５０ｎｍの波長範囲における強度の積分値が１０５０ｎｍ〜１２００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、１０５０ｎｍ〜１２００ｎｍの波長範囲における強度の積分値よりも大きい場合と比較して、好ましい美容作用促進効果および副作用抑制効果を奏する。
【０１１０】
（９）体毛用美容光は、上記（１）〜（３）の特徴に併せて、次の特徴を有する。体毛用美容光は、４００ｎｍ〜８５０ｎｍの波長範囲における強度の積分値が８００ｎｍ〜９００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、８００ｎｍ〜９００ｎｍの波長範囲における強度の積分値よりも大きい場合と比較して、好ましい美容作用促進効果および副作用抑制効果を奏する。
【０１１１】
（１０）体毛用美容光は、上記（１）〜（３）の特徴に併せて、次の特徴を有する。体毛用美容光は、４００ｎｍ〜８５０ｎｍの波長範囲における強度の積分値が８５０ｎｍ〜９００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、８５０ｎｍ〜９００ｎｍの波長範囲における強度の積分値よりも大きい場合と比較して、好ましい美容作用促進効果および副作用抑制効果を奏する。
【０１１２】
（１１）体毛用美容光は、上記（１）〜（３）の特徴に併せて、次の特徴を有する。体毛用美容光は、４００ｎｍ〜８５０ｎｍの波長範囲における強度の積分値が９００ｎｍ〜１０００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、９００ｎｍ〜１０００ｎｍの波長範囲における強度の積分値よりも大きい場合と比較して、好ましい美容作用促進効果および副作用抑制効果を奏する。
【０１１３】
（１２）体毛用美容光は、上記（１）〜（３）の特徴に併せて、次の特徴を有する。体毛用美容光は、４００ｎｍ〜８５０ｎｍの波長範囲における強度の積分値が９００ｎｍ〜９５０ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、９００ｎｍ〜９５０ｎｍの波長範囲における強度の積分値よりも大きい場合と比較して、好ましい美容作用促進効果および副作用抑制効果を奏する。
【０１１４】
（１３）体毛用美容光は、上記（１）〜（３）の特徴に併せて、次の特徴を有する。体毛用美容光は、４００ｎｍ〜８５０ｎｍの波長範囲における強度の積分値が９５０ｎｍ〜１０００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、９５０ｎｍ〜１０００ｎｍの波長範囲における強度の積分値よりも大きい場合と比較して、好ましい美容作用促進効果および副作用抑制効果を奏する。
【０１１５】
（１４）体毛用美容光は、上記（１）〜（３）の特徴に併せて、次の特徴を有する。体毛用美容光は、４００ｎｍ〜８５０ｎｍの波長範囲における強度の積分値が１０００ｎｍ〜１１００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、１０００ｎｍ〜１１００ｎｍの波長範囲における強度の積分値よりも大きい場合と比較して、好ましい美容作用促進効果および副作用抑制効果を奏する。
【０１１６】
（１５）体毛用美容光は、上記（１）〜（３）の特徴に併せて、次の特徴を有する。体毛用美容光は、４００ｎｍ〜８５０ｎｍの波長範囲における強度の積分値が１０００ｎｍ〜１０５０ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、１０００ｎｍ〜１０５０ｎｍの波長範囲における強度の積分値よりも大きい場合と比較して、好ましい美容作用促進効果および副作用抑制効果を奏する。
【０１１７】
（１６）体毛用美容光は、上記（１）〜（３）の特徴に併せて、次の特徴を有する。体毛用美容光は、４００ｎｍ〜８５０ｎｍの波長範囲における強度の積分値が１０５０ｎｍ〜１１００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、１０５０ｎｍ〜１１００ｎｍの波長範囲における強度の積分値よりも大きい場合と比較して、好ましい美容作用促進効果および副作用抑制効果を奏する。
【０１１８】
（１７）体毛用美容光は、上記（１）〜（３）の特徴に併せて、次の特徴を有する。体毛用美容光は、４００ｎｍ〜８５０ｎｍの波長範囲における強度の積分値が１１００ｎｍ〜１２００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、１１００ｎｍ〜１２００ｎｍの波長範囲における強度の積分値よりも大きい場合と比較して、好ましい美容作用促進効果および副作用抑制効果を奏する。
【０１１９】
（１８）体毛用美容光は、上記（１）〜（３）の特徴に併せて、次の特徴を有する。体毛用美容光は、４００ｎｍ〜８５０ｎｍの波長範囲における強度の積分値が１１００ｎｍ〜１１５０ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、１１００ｎｍ〜１１５０ｎｍの波長範囲における強度の積分値よりも大きい場合と比較して、好ましい美容作用促進効果および副作用抑制効果を奏する。
【０１２０】
（１９）体毛用美容光は、上記（１）〜（３）の特徴に併せて、次の特徴を有する。体毛用美容光は、４００ｎｍ〜８５０ｎｍの波長範囲における強度の積分値が１１５０ｎｍ〜１２００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、１１５０ｎｍ〜１２００ｎｍの波長範囲における強度の積分値よりも大きい場合と比較して、好ましい美容作用促進効果および副作用抑制効果を奏する。
【０１２１】
（２０）体毛用美容光は、上記（１）〜（３）の特徴に併せて、次の特徴を有する。体毛用美容光は、８００ｎｍ〜１０００ｎｍの波長範囲における強度の積分値が１０００ｎｍ〜１２００ｎｍの波長範囲における強度の積分値よりも大きい。本願発明者は、この特徴を有する体毛用美容光により次の効果が得られることを実験により確認した。この体毛用美容光は、８００ｎｍ〜１０００ｎｍの波長範囲における強度の積分値が、１０００ｎｍ〜１２００ｎｍの波長範囲における強度の積分値よりも小さい場合と比較して、好ましい美容作用促進効果および副作用抑制効果を奏する。
【０１２２】
（２１）体毛用美容光は、上記（１）〜（３）の特徴に併せて、次の特徴を有する。体毛用美容光は、８５０ｎｍ〜１０００ｎｍの波長範囲における強度の積分値が１０００ｎｍ〜１２００ｎｍの波長範囲における強度の積分値よりも大きい。本願発明者は、この特徴を有する体毛用美容光により次の効果が得られることを実験により確認した。この体毛用美容光は、８５０ｎｍ〜１０００ｎｍの波長範囲における強度の積分値が、１０００ｎｍ〜１２００ｎｍの波長範囲における強度の積分値よりも小さい場合と比較して、好ましい美容作用促進効果および副作用抑制効果を奏する。
【０１２３】
（２２）体毛用美容光は、上記（１）〜（３）の特徴に併せて、次の特徴を有する。体毛用美容光は、９００ｎｍ〜１０００ｎｍの波長範囲における強度の積分値が１０００ｎｍ〜１２００ｎｍの波長範囲における強度の積分値よりも大きい。本願発明者は、この特徴を有する体毛用美容光により次の効果が得られることを実験により確認した。この体毛用美容光は、９００ｎｍ〜１０００ｎｍの波長範囲における強度の積分値が、１０００ｎｍ〜１２００ｎｍの波長範囲における強度の積分値よりも小さい場合と比較して、好ましい美容作用促進効果および副作用抑制効果を奏する。
【０１２４】
（２３）体毛用美容光は、上記（１）〜（３）の特徴に併せて、次の特徴を有する。体毛用美容光は、９００ｎｍ〜１０００ｎｍの波長範囲における強度の積分値が１１００ｎｍ〜１２００ｎｍの波長範囲における強度の積分値よりも大きい。本願発明者は、この特徴を有する体毛用美容光により次の効果が得られることを実験により確認した。この体毛用美容光は、９００ｎｍ〜１０００ｎｍの波長範囲における強度の積分値が、１１００ｎｍ〜１２００ｎｍの波長範囲における強度の積分値よりも小さい場合と比較して、好ましい美容作用促進効果および副作用抑制効果を奏する。
【０１２５】
（２４）体毛用美容光は、上記（１）〜（３）の特徴に併せて、次の特徴を有する。体毛用美容光は、１０００ｎｍ〜１１００ｎｍの波長範囲における強度の積分値が１１００ｎｍ〜１２００ｎｍの波長範囲における強度の積分値よりも大きい。本願発明者は、この特徴を有する体毛用美容光により次の効果が得られることを実験により確認した。この体毛用美容光は、１０００ｎｍ〜１１００ｎｍの波長範囲における強度の積分値が、１１００ｎｍ〜１２００ｎｍの波長範囲における強度の積分値よりも小さい場合と比較して、好ましい美容作用促進効果および副作用抑制効果を奏する。
【０１２６】
（２５）体毛用美容光は、上記（１）〜（３）の特徴に併せて、次の特徴を有する。体毛用美容光は、８５０ｎｍ〜９００ｎｍの波長範囲における強度の積分値が１１００ｎｍ〜１２００ｎｍの波長範囲における強度の積分値よりも大きい。本願発明者は、この特徴を有する体毛用美容光により次の効果が得られることを実験により確認した。この体毛用美容光は、８５０ｎｍ〜９００ｎｍの波長範囲における強度の積分値が、１１００ｎｍ〜１２００ｎｍの波長範囲における強度の積分値よりも小さい場合と比較して、好ましい美容作用促進効果および副作用抑制効果を奏する。
【０１２７】
（２６）体毛用美容光は、上記（１）〜（３）の特徴に併せて、次の特徴を有する。体毛用美容光は、９００ｎｍ〜９５０ｎｍの波長範囲における強度の積分値が１１００ｎｍ〜１２００ｎｍの波長範囲における強度の積分値よりも大きい。本願発明者は、この特徴を有する体毛用美容光により次の効果が得られることを実験により確認した。この体毛用美容光は、９００ｎｍ〜９５０ｎｍの波長範囲における強度の積分値が、１１００ｎｍ〜１２００ｎｍの波長範囲における強度の積分値よりも小さい場合と比較して、好ましい美容作用促進効果および副作用抑制効果を奏する。
【０１２８】
（２７）体毛用美容光は、上記（１）〜（３）の特徴に併せて、次の特徴を有する。体毛用美容光は、９５０ｎｍ〜１０００ｎｍの波長範囲における強度の積分値が１１００ｎｍ〜１２００ｎｍの波長範囲における強度の積分値よりも大きい。本願発明者は、この特徴を有する体毛用美容光により次の効果が得られることを実験により確認した。この体毛用美容光は、９５０ｎｍ〜１０００ｎｍの波長範囲における強度の積分値が、１１００ｎｍ〜１２００ｎｍの波長範囲における強度の積分値よりも小さい場合と比較して、好ましい美容作用促進効果および副作用抑制効果を奏する。
【０１２９】
（２８）体毛用美容光は、０．２〜１．５（Ｊ／ｃｍ２）の範囲のエネルギー密度を有する。本願発明者は、この特徴を有する体毛用美容光により次の効果が得られることを実験により確認した。この体毛用美容光は、０．２（Ｊ／ｃｍ２）未満のエネルギー密度を有する場合と比較して、体毛美容作用を促進させやすくする効果が高くなる。この体毛用美容光は、１．５（Ｊ／ｃｍ２）よりも大きいエネルギー密度を有する場合と比較して、皮膚の好ましくない副作用を生じさせにくい。
【０１３０】
（２９）体毛用美容光は、１回の照射あたり６００μｓ〜２ｍｓの範囲の照射時間を有する。本願発明者は、この特徴を有する体毛用美容光により次の効果が得られることを実験により確認した。この体毛用美容光は、６００μｓ未満の照射時間を有する場合と比較して、体毛美容作用を促進させやすくする効果が高くなる。この体毛用美容光は、２ｍｓよりも長い照射時間を有する場合と比較して、皮膚の好ましくない副作用を生じさせにくい。
【０１３１】
（第２実施形態）
第２実施形態の体毛用光美容装置１０は、次の点において第１実施形態の体毛用光美容装置１０と相違し、その他の点において第１実施形態の体毛用光美容装置１０と同じ構成を有する。第１実施形態の体毛用光美容装置１０は、図２の光源スペクトルを有する体毛用美容光を照射する。一方、第２実施形態の体毛用光美容装置１０は、図３の光源スペクトルを有する体毛用美容光を照射する。なお、第２実施形態の体毛用光美容装置１０の説明は、第１実施形態の体毛用光美容装置１０と共通する構成に同一の符号を付し、共通する構成の説明の一部または全部を省略する。
【０１３２】
体毛用美容光は、８００ｎｍ〜１２００ｎｍの波長範囲に複数のピークを有する。体毛用美容光は、第１基準波長範囲Ｗ１０に第２波形最大ピークＰ２を有する。第２波形最大ピークＰ２は、一例として、９６００（μＷ／ｃｍ２／ｎｍ）の分光放射照度を有する。
【０１３３】
第２波形最大ピークＰ２は、第２波形適正ピーク範囲に含まれることが好ましい。第２波形適正ピーク範囲は、好ましい美容作用促進効果が得られるピーク範囲を示す。第２波形適正ピーク範囲は、一例として、２０００〜１４７００（μＷ／ｃｍ２／ｎｍ）の範囲を有する。第２波形適正ピーク範囲は、好ましい一例として、６９００〜１２８００（μＷ／ｃｍ２／ｎｍ）の範囲を有する。
【０１３４】
各積分値は、以下の大きさを有する。
（ａ）２区分低位積分値ＳＸ１は、２区分低位適正範囲に含まれる。
（ｂ）２区分高位積分値ＳＸ２は、２区分高位適正範囲に含まれる。
（ｃ）第１基準範囲積分値Ｓ１０は、第１基準適正範囲に含まれる。
（ｄ）第１基準低位積分値Ｓ１１は、第１低位適正範囲に含まれる。
（ｅ）第１基準高位積分値Ｓ１２は、第１高位適正範囲に含まれる。
（ｆ）第２基準範囲積分値Ｓ２０は、第２基準適正範囲に含まれる。
（ｇ）第２基準低位積分値Ｓ２１は、第２低位適正範囲に含まれる。
（ｈ）第２基準高位積分値Ｓ２２は、第２高位適正範囲に含まれる。
（ｉ）第３基準範囲積分値Ｓ３０は、第３基準適正範囲に含まれる。
（ｊ）第３基準低位積分値Ｓ３１は、第３低位適正範囲に含まれる。
（ｋ）第３基準高位積分値Ｓ３２は、第３高位適正範囲に含まれる。
（ｌ）第４基準範囲積分値Ｓ４０は、第４基準適正範囲に含まれる。
（ｍ）第４基準低位積分値Ｓ４１は、第４低位適正範囲に含まれる。
（ｎ）第４基準高位積分値Ｓ４２は、第４高位適正範囲に含まれる。
【０１３５】
各積分値は、以下の関係を有する。
２区分低位積分値ＳＸ１は、第１基準高位積分値Ｓ１２、第２基準範囲積分値Ｓ２０、第３基準範囲積分値Ｓ３０、および第４基準範囲積分値Ｓ４０の合計値よりも小さい。すなわち、４００ｎｍ〜８５０ｎｍの波長範囲における光エネルギーの量は、８５０ｎｍ〜１２００ｎｍの波長範囲における光エネルギーの量よりも少ない。
【０１３６】
２区分低位積分値ＳＸ１は、第２基準範囲積分値Ｓ２０、第３基準範囲積分値Ｓ３０、および第４基準範囲積分値Ｓ４０の合計値よりも小さい。すなわち、４００ｎｍ〜８５０ｎｍの波長範囲における光エネルギーの量は、９００ｎｍ〜１２００ｎｍの波長範囲における光エネルギーの量よりも少ない。
【０１３７】
２区分低位積分値ＳＸ１は、第２基準高位積分値Ｓ２２、第３基準範囲積分値Ｓ３０、および第４基準範囲積分値Ｓ４０の合計値よりも小さい。すなわち、４００ｎｍ〜８５０ｎｍの波長範囲における光エネルギーの量は、９５０ｎｍ〜１２００ｎｍの波長範囲における光エネルギーの量よりも少ない。
【０１３８】
２区分低位積分値ＳＸ１は、第１基準範囲積分値Ｓ１０よりも小さい。すなわち、４００ｎｍ〜８５０ｎｍの波長範囲における光エネルギーの量は、８００ｎｍ〜９００ｎｍの波長範囲における光エネルギーの量よりも少ない。
【０１３９】
２区分低位積分値ＳＸ１は、第２基準範囲積分値Ｓ２０よりも小さい。すなわち、４００ｎｍ〜８５０ｎｍの波長範囲における光エネルギーの量は、９００ｎｍ〜１０００ｎｍの波長範囲における光エネルギーの量よりも少ない。
【０１４０】
第１基準範囲積分値Ｓ１０および第２基準範囲積分値Ｓ２０の合計値は、第３基準範囲積分値Ｓ３０および第４基準範囲積分値Ｓ４０の合計値よりも大きい。すなわち、８００ｎｍ〜１０００ｎｍの波長範囲における光エネルギーの量は、１０００ｎｍ〜１２００ｎｍの波長範囲における光エネルギーの量よりも多い。
【０１４１】
第１基準高位積分値Ｓ１２および第２基準範囲積分値Ｓ２０の合計値は、第３基準範囲積分値Ｓ３０および第４基準範囲積分値Ｓ４０の合計値よりも大きい。すなわち、８５０ｎｍ〜１０００ｎｍの波長範囲における光エネルギーの量は、１０００ｎｍ〜１２００ｎｍの波長範囲における光エネルギーの量よりも多い。
【０１４２】
第２基準範囲積分値Ｓ２０は、第３基準範囲積分値Ｓ３０および第４基準範囲積分値Ｓ４０の合計値よりも大きい。すなわち、９００ｎｍ〜１０００ｎｍの波長範囲における光エネルギーの量は、１０００ｎｍ〜１２００ｎｍの波長範囲における光エネルギーの量よりも多い。
【０１４３】
第２基準範囲積分値Ｓ２０は、第４基準範囲積分値Ｓ４０よりも大きい。すなわち、９００ｎｍ〜１０００ｎｍの波長範囲における光エネルギーの量は、１１００ｎｍ〜１２００ｎｍの波長範囲における光エネルギーの量よりも多い。
【０１４４】
第３基準範囲積分値Ｓ３０は、第４基準範囲積分値Ｓ４０よりも大きい。すなわち、１０００ｎｍ〜１１００ｎｍの波長範囲における光エネルギーの量は、１１００ｎｍ〜１２００ｎｍの波長範囲における光エネルギーの量よりも多い。
【０１４５】
第１基準高位積分値Ｓ１２は、第４基準範囲積分値Ｓ４０よりも大きい。すなわち、８５０ｎｍ〜９００ｎｍの波長範囲における光エネルギーの量は、１１００ｎｍ〜１２００ｎｍの波長範囲における光エネルギーの量よりも多い。
【０１４６】
第２基準低位積分値Ｓ２１は、第４基準範囲積分値Ｓ４０よりも大きい。すなわち、９００ｎｍ〜９５０ｎｍの波長範囲における光エネルギーの量は、１１００ｎｍ〜１２００ｎｍの波長範囲における光エネルギーの量よりも多い。
【０１４７】
第２基準高位積分値Ｓ２２は、第４基準範囲積分値Ｓ４０よりも大きい。すなわち、９５０ｎｍ〜１０００ｎｍの波長範囲における光エネルギーの量は、１１００ｎｍ〜１２００ｎｍの波長範囲における光エネルギーの量よりも多い。
【０１４８】
２区分低位積分値ＳＸ１から第１基準低位積分値Ｓ１１を除いた積分値は、第１基準範囲積分値Ｓ１０、第２基準範囲積分値Ｓ２０、第３基準範囲積分値Ｓ３０、および第４基準範囲積分値Ｓ４０のいずれの積分値よりも小さい。すなわち、４００ｎｍ〜８００ｎｍの波長範囲における光エネルギーの量は、８００ｎｍ〜１２００ｎｍの波長範囲において、１００ｎｍを区分単位波長とする４種類の波長範囲におけるそれぞれの光エネルギーの量よりも少ない。
【０１４９】
２区分低位積分値ＳＸ１から第１基準低位積分値Ｓ１１を除いた積分値は、積分値Ｓ１２、積分値Ｓ２１、および積分値Ｓ２２のいずれの積分値よりも小さい。すなわち、４００ｎｍ〜８００ｎｍの波長範囲における光エネルギーの量は、８５０ｎｍ〜１０００ｎｍの波長範囲において、５０ｎｍを区分単位波長とする３種類の波長範囲におけるそれぞれの光エネルギーの量よりも少ない。
【０１５０】
第２実施形態の体毛用光美容装置１０は、第１実施形態の体毛用光美容装置１０が奏する（１）〜（６）、（９）、（１１）および（２０）〜（２９）の効果に準じた効果を奏する。すなわち、体毛美容作用を効率的に促進させやすくなる効果、好ましい副作用抑制効果、およびその他の種々の効果を奏する。
【０１５１】
（第３実施形態）
第３実施形態の体毛用光美容装置１０は、次の点において第１実施形態の体毛用光美容装置１０と相違し、その他の点において第１実施形態の体毛用光美容装置１０と同じ構成を有する。第１実施形態の体毛用光美容装置１０は、図２の光源スペクトルを有する体毛用美容光を照射する。一方、第３実施形態の体毛用光美容装置１０は、図４の光源スペクトルを有する体毛用美容光を照射する。なお、第３実施形態の体毛用光美容装置１０の説明は、第１実施形態の体毛用光美容装置１０と共通する構成に同一の符号を付し、共通する構成の説明の一部または全部を省略する。
【０１５２】
第３実施形態の体毛用美容光について説明する。
体毛用美容光は、８５０ｎｍ〜１２００ｎｍの波長範囲に複数のピークを有する。体毛用美容光は、第１基準波長範囲Ｗ１０に第３波形最大ピークＰ３を有する。第３波形最大ピークＰ３は、一例として、８６４０（μＷ／ｃｍ２／ｎｍ）の分光放射照度を有する。
【０１５３】
第３波形最大ピークＰ３は、第３波形適正ピーク範囲に含まれることが好ましい。第３波形適正ピーク範囲は、好ましい美容作用促進効果が得られるピーク範囲を示す。第３波形適正ピーク範囲は、一例として、２１００〜１６１００（μＷ／ｃｍ２／ｎｍ）の範囲を有する。第３波形適正ピーク範囲は、好ましい一例として、７５００〜１３９００（μＷ／ｃｍ２／ｎｍ）の範囲を有する。
【０１５４】
各積分値は、以下の大きさを有する。
（ａ）２区分低位積分値ＳＸ１は、２区分低位適正範囲に含まれる。
（ｂ）２区分高位積分値ＳＸ２は、２区分高位適正範囲に含まれる。
（ｃ）第１基準範囲積分値Ｓ１０は、第１基準適正範囲に含まれる。
（ｄ）第１基準低位積分値Ｓ１１は、第１低位適正範囲に含まれる。
（ｅ）第１基準高位積分値Ｓ１２は、第１高位適正範囲に含まれる。
（ｆ）第２基準範囲積分値Ｓ２０は、第２基準適正範囲に含まれる。
（ｇ）第２基準低位積分値Ｓ２１は、第２低位適正範囲に含まれる。
（ｈ）第２基準高位積分値Ｓ２２は、第２高位適正範囲に含まれる。
（ｉ）第３基準範囲積分値Ｓ３０は、第３基準適正範囲に含まれる。
（ｊ）第３基準低位積分値Ｓ３１は、第３低位適正範囲に含まれる。
【０１５５】
各積分値は、以下の関係を有する。
２区分低位積分値ＳＸ１は、第１基準高位積分値Ｓ１２、第２基準範囲積分値Ｓ２０、第３基準範囲積分値Ｓ３０、および第４基準範囲積分値Ｓ４０の合計値よりも小さい。すなわち、４００ｎｍ〜８５０ｎｍの波長範囲における光エネルギーの量は、８５０ｎｍ〜１２００ｎｍの波長範囲における光エネルギーの量よりも少ない。
【０１５６】
２区分低位積分値ＳＸ１は、第２基準範囲積分値Ｓ２０および第３基準範囲積分値Ｓ３０の合計値よりも小さい。すなわち、４００ｎｍ〜８５０ｎｍの波長範囲における光エネルギーの量は、９００ｎｍ〜１１００ｎｍの波長範囲における光エネルギーの量よりも少ない。
【０１５７】
２区分低位積分値ＳＸ１は、第２基準高位積分値Ｓ２２および第３基準範囲積分値Ｓ３０の合計値よりも小さい。すなわち、４００ｎｍ〜８５０ｎｍの波長範囲における光エネルギーの量は、９５０ｎｍ〜１１００ｎｍの波長範囲における光エネルギーの量よりも少ない。
【０１５８】
２区分低位積分値ＳＸ１は、第１基準範囲積分値Ｓ１０よりも小さい。すなわち、４００ｎｍ〜８５０ｎｍの波長範囲における光エネルギーの量は、８００ｎｍ〜９００ｎｍの波長範囲における光エネルギーの量よりも少ない。
【０１５９】
２区分低位積分値ＳＸ１は、第１基準高位積分値Ｓ１２よりも小さい。すなわち、４００ｎｍ〜８５０ｎｍの波長範囲における光エネルギーの量は、８５０ｎｍ〜９００ｎｍの波長範囲における光エネルギーの量よりも少ない。
【０１６０】
２区分低位積分値ＳＸ１は、第２基準範囲積分値Ｓ２０よりも小さい。すなわち、４００ｎｍ〜８５０ｎｍの波長範囲における光エネルギーの量は、９００ｎｍ〜１０００ｎｍの波長範囲における光エネルギーの量よりも少ない。
【０１６１】
２区分低位積分値ＳＸ１は、第２基準低位積分値Ｓ２１よりも小さい。すなわち、４００ｎｍ〜８５０ｎｍの波長範囲における光エネルギーの量は、９００ｎｍ〜９５０ｎｍの波長範囲における光エネルギーの量よりも少ない。
【０１６２】
２区分低位積分値ＳＸ１は、第２基準高位積分値Ｓ２２よりも小さい。すなわち、４００ｎｍ〜８５０ｎｍの波長範囲における光エネルギーの量は、９５０ｎｍ〜１０００ｎｍの波長範囲における光エネルギーの量よりも少ない。
【０１６３】
２区分低位積分値ＳＸ１は、第３基準範囲積分値Ｓ３０よりも小さい。すなわち、４００ｎｍ〜８５０ｎｍの波長範囲における光エネルギーの量は、１０００ｎｍ〜１１００ｎｍの波長範囲における光エネルギーの量よりも少ない。
【０１６４】
２区分低位積分値ＳＸ１は、第３基準低位積分値Ｓ３１よりも小さい。すなわち、４００ｎｍ〜８５０ｎｍの波長範囲における光エネルギーの量は、１０００ｎｍ〜１０５０ｎｍの波長範囲における光エネルギーの量よりも少ない。
【０１６５】
第１基準範囲積分値Ｓ１０および第２基準範囲積分値Ｓ２０の合計値は、第３基準範囲積分値Ｓ３０および第４基準範囲積分値Ｓ４０の合計値よりも大きい。すなわち、８００ｎｍ〜１０００ｎｍの波長範囲における光エネルギーの量は、１０００ｎｍ〜１２００ｎｍの波長範囲における光エネルギーの量よりも多い。
【０１６６】
第１基準高位積分値Ｓ１２および第２基準範囲積分値Ｓ２０の合計値は、第３基準範囲積分値Ｓ３０および第４基準範囲積分値Ｓ４０の合計値よりも大きい。すなわち、８５０ｎｍ〜１０００ｎｍの波長範囲における光エネルギーの量は、１０００ｎｍ〜１２００ｎｍの波長範囲における強度の光エネルギーの量よりも多い。
【０１６７】
第２基準範囲積分値Ｓ２０は、第３基準範囲積分値Ｓ３０および第４基準範囲積分値Ｓ４０の合計値よりも大きい。すなわち、９００ｎｍ〜１０００ｎｍの波長範囲における光エネルギーの量は、１０００ｎｍ〜１２００ｎｍの波長範囲における光エネルギーの量よりも多い。
【０１６８】
第２基準範囲積分値Ｓ２０は、第４基準範囲積分値Ｓ４０よりも大きい。すなわち、９００ｎｍ〜１０００ｎｍの波長範囲における光エネルギーの量は、１１００ｎｍ〜１２００ｎｍの波長範囲における光エネルギーの量よりも多い。
【０１６９】
第３基準範囲積分値Ｓ３０は、第４基準範囲積分値Ｓ４０よりも大きい。すなわち、１０００ｎｍ〜１１００ｎｍの波長範囲における光エネルギーの量は、１１００ｎｍ〜１２００ｎｍの波長範囲における光エネルギーの量よりも多い。
【０１７０】
第１基準高位積分値Ｓ１２は、第４基準範囲積分値Ｓ４０よりも大きい。すなわち、８５０ｎｍ〜９００ｎｍの波長範囲における光エネルギーの量は、１１００ｎｍ〜１２００ｎｍの波長範囲における光エネルギーの量よりも多い。
【０１７１】
第２基準低位積分値Ｓ２１は、第４基準範囲積分値Ｓ４０よりも大きい。すなわち、９００ｎｍ〜９５０ｎｍの波長範囲における光エネルギーの量は、１１００ｎｍ〜１２００ｎｍの波長範囲における光エネルギーの量よりも多い。
【０１７２】
第２基準高位積分値Ｓ２２は、第４基準範囲積分値Ｓ４０よりも大きい。すなわち、９５０ｎｍ〜１０００ｎｍの波長範囲における光エネルギーの量は、１１００ｎｍ〜１２００ｎｍの波長範囲における光エネルギーの量よりも多い。
【０１７３】
第３実施形態の体毛用光美容装置１０は、第１実施形態の体毛用光美容装置１０が奏する（１）〜（４）、（９）〜（１５）、および（２０）〜（２９）の効果に準じた効果を奏する。すなわち、体毛美容作用を効率的に促進させやすくなる効果、好ましい副作用抑制効果、およびその他の種々の効果を奏する。また、第３実施形態の体毛用光美容装置１０は、以下の効果を奏する。
【０１７４】
（３０）体毛用美容光は、第１実施形態の上記（１）〜（３）の特徴に併せて、次の特徴を有する。体毛用美容光は、４００ｎｍ〜８５０ｎｍの波長範囲における強度の積分値が９００ｎｍ〜１１００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、９００ｎｍ〜１１００ｎｍの波長範囲における強度の積分値よりも大きい場合と比較して、好ましい美容作用促進効果および副作用抑制効果を奏する。
【０１７５】
（３１）体毛用美容光は、第１実施形態の上記（１）〜（３）の特徴に併せて、次の特徴を有する。体毛用美容光は、４００ｎｍ〜８５０ｎｍの波長範囲における強度の積分値が９５０ｎｍ〜１１００ｎｍの波長範囲における強度の積分値よりも小さい。本願発明者は、この特徴を有する体毛用美容光により次の効果が得られることを実験により確認した。この体毛用美容光は、４００ｎｍ〜８５０ｎｍの波長範囲における強度の積分値が、９５０ｎｍ〜１１００ｎｍの波長範囲における強度の積分値よりも大きい場合と比較して、好ましい美容作用促進効果および副作用抑制効果を奏する。
【０１７６】
（その他の実施形態）
本体毛用光美容装置は、実施形態とは異なるその他の実施形態を含む。その他の実施形態は、一例として、以下に示される実施形態の変形例としての形態を有する。なお、以下の各変形例は、技術的に矛盾しない範囲において互いに組み合わせることができる。
【０１７７】
・第１実施形態の体毛用美容光は、第２基準波長範囲Ｗ２０において第１波形最大ピークＰ１を有する。ただし、第１波形最大ピークＰ１が形成される波長範囲は、実施形態に例示された内容に限られない。変形例の体毛用美容光は、一例として、第１基準高位範囲Ｗ１２、第３基準波長範囲Ｗ３０、または第４基準波長範囲Ｗ４０に第１波形最大ピークＰ１を有する。体毛用光美容装置１０は、第１波形最大ピークＰ１が形成される波長範囲が実施形態と相違する場合においても、積分値ＳＸ１が積分値ＳＸ２よりも小さいとき、少なくとも第１実施形態の（１）〜（４）の効果に準じた効果を奏する。
【０１７８】
・第１実施形態の体毛用美容光は、２区分低位波長範囲ＷＸ１においてピークを有していない。ただし、２区分低位波長範囲ＷＸ１に形成されるピークの数は、各実施形態に例示された内容に限られない。変形例の体毛用美容光は、一例として、２区分低位波長範囲ＷＸ１において１つ以上のピークを有する。２区分低位波長範囲ＷＸ１のピークは、２区分高位波長範囲ＷＸ２のピークよりも小さいことが好ましい。体毛用光美容装置は、２区分低位波長範囲ＷＸ１のピークの数が実施形態と相違する場合においても、積分値ＳＸ１が積分値ＳＸ２よりも小さいとき、少なくとも第１実施形態の（１）〜（４）の効果に準じた効果を奏する。
【０１７９】
・第２実施形態の体毛用美容光は、第１基準低位範囲Ｗ１１において第２波形最大ピークＰ２を有する。ただし、第２波形最大ピークＰ２が形成される波長範囲は、実施形態に例示された内容に限られない。変形例の体毛用美容光は、一例として、第１基準高位範囲Ｗ１２または第２基準波長範囲Ｗ２０に第２波形最大ピークＰ２を有する。体毛用光美容装置１０は、第２波形最大ピークＰ２が形成される波長範囲が実施形態と相違する場合においても、積分値ＳＸ１が積分値ＳＸ２よりも小さいとき、少なくとも第１実施形態の（１）〜（４）の効果に準じた効果を奏する。
【０１８０】
・第３実施形態の体毛用美容光は、第１基準高位範囲Ｗ１２において第３波形最大ピークＰ３を有する。ただし、第３波形最大ピークＰ３が形成される波長範囲は、実施形態に例示された内容に限られない。変形例の体毛用美容光は、一例として、第２基準波長範囲Ｗ２０に第３波形最大ピークＰ３を有する。体毛用光美容装置１０は、第３波形最大ピークＰ３が形成される波長範囲が実施形態と相違する場合においても、積分値ＳＸ１が積分値ＳＸ２よりも小さいとき、少なくとも第１実施形態の（１）〜（４）の効果に準じた効果を奏する。
【０１８１】
・第１実施形態〜第３実施形態の体毛用美容光は、７００ｎｍ未満の波長範囲の成分を含む。ただし、７００ｎｍ未満の波長範囲の光源スペクトルは、各実施形態に例示された内容に限られない。変形例の体毛用美容光は、一例として、７００ｎｍ未満の波長範囲の成分を完全に含まない。
【０１８２】
・第１実施形態〜第３実施形態の体毛用美容光は、８００ｎｍ未満の波長範囲の成分を含む。ただし、８００ｎｍ未満の波長範囲の光源スペクトルは、各実施形態に例示された内容に限られない。変形例の体毛用美容光は、一例として、８００ｎｍ未満の波長範囲の成分を完全に含まない。
【０１８３】
・第１実施形態〜第３実施形態の体毛用光美容装置１０は、４００ｎｍ〜８５０ｎｍの波長範囲を２区分低位波長範囲ＷＸ１として規定している。ただし、２区分低位波長範囲ＷＸ１の内容は、各実施形態に例示された内容に限られない。変形例の２区分低位波長範囲ＷＸ１は、一例として、４００ｎｍ以上かつ８５０ｎｍ未満の波長範囲、または４００ｎｍよりも長くかつ８５０ｎｍ未満の波長範囲、または４００ｎｍよりも長くかつ８５０ｎｍ以下の波長範囲を有する。
【０１８４】
・第１実施形態〜第３実施形態の体毛用光美容装置１０は、８５０ｎｍ〜１２００ｎｍの波長範囲を２区分高位波長範囲ＷＸ２として規定している。ただし、２区分高位波長範囲ＷＸ２の内容は、各実施形態に例示された内容に限られない。変形例の２区分高位波長範囲ＷＸ２は、一例として、８５０ｎｍ以上かつ１２００ｎｍ未満の波長範囲、または８５０ｎｍよりも長くかつ１２００ｎｍ未満の波長範囲、または８５０ｎｍよりも長くかつ１２００ｎｍ以下の波長範囲を有する。
【０１８５】
・第１実施形態〜第３実施形態の体毛用光美容装置１０は、８００ｎｍ〜９００ｎｍの波長範囲を第１基準波長範囲Ｗ１０として規定している。ただし、第１基準波長範囲Ｗ１０の内容は、各実施形態に例示された内容に限られない。変形例の第１基準波長範囲Ｗ１０は、一例として、８００ｎｍ以上かつ９００ｎｍ未満の波長範囲、または８００ｎｍよりも長くかつ９００ｎｍ未満の波長範囲、または８００ｎｍよりも長くかつ９００ｎｍ以下の波長範囲を有する。
【０１８６】
・第１実施形態〜第３実施形態の体毛用光美容装置１０は、９００ｎｍ〜１０００ｎｍの波長範囲を第２基準波長範囲Ｗ２０として規定している。ただし、第２基準波長範囲Ｗ２０の内容は、各実施形態に例示された内容に限られない。変形例の第２基準波長範囲Ｗ２０は、一例として、９００ｎｍ以上かつ１０００ｎｍ未満の波長範囲、または９００ｎｍよりも長くかつ１０００ｎｍ未満の波長範囲、または９００ｎｍよりも長くかつ１０００ｎｍ以下の波長範囲を有する。
【０１８７】
・第１実施形態〜第３実施形態の体毛用光美容装置１０は、１０００ｎｍ〜１１００ｎｍの波長範囲を第３基準波長範囲Ｗ３０として規定している。ただし、第３基準波長範囲Ｗ３０の内容は、各実施形態に例示された内容に限られない。変形例の第３基準波長範囲Ｗ３０は、一例として、１０００ｎｍ以上かつ１１００ｎｍ未満の波長範囲、または１０００ｎｍよりも長くかつ１１００ｎｍ未満の波長範囲、または１０００ｎｍよりも長くかつ１１００ｎｍ以下の波長範囲を有する。
【０１８８】
・第１実施形態〜第３実施形態の体毛用光美容装置１０は、１１００ｎｍ〜１２００ｎｍの波長範囲を第４基準波長範囲Ｗ４０として規定している。ただし、第４基準波長範囲Ｗ４０の内容は、各実施形態に例示された内容に限られない。変形例の第４基準波長範囲Ｗ４０は、一例として、１０００ｎｍ以上かつ１１００ｎｍ未満の波長範囲、または１０００ｎｍよりも長くかつ１１００ｎｍ未満の波長範囲、または１０００ｎｍよりも長くかつ１１００ｎｍ以下の波長範囲を有する。
【０１８９】
・第１実施形態〜第３実施形態の体毛用光美容装置１０は、アクリル、ポリカーボネート、またはガラスにより形成されたレンズ３６を有する。ただし、レンズ３６の構造は、各実施形態に例示された内容に限られない。変形例のレンズは、一例として、基材に光吸収成分が混ぜられた構造を有する。
【０１９０】
・第１実施形態〜第３実施形態の体毛用光美容装置１０は、個別に形成されたレンズ３６およびフィルター３７を有する。ただし、レンズ３６およびフィルター３７の構造は、各実施形態に例示された内容に限られない。変形例の体毛用光美容装置１０は、一例として、フィルターと一体化された構造のレンズを有する。
【０１９１】
・第１〜第３実施形態の体毛用光美容装置１０は、体毛用美容光の強度を分光放射照度により規定している。ただし、体毛用美容光の強度の内容は、各実施形態に例示された内容に限られない。変形例の体毛用光美容装置１０は、一例として、体毛用美容光の強度を分光放射エネルギー密度（μＪ／ｃｍ２／ｎｍ）により規定する。
【０１９２】
（実施例）
本願発明者は、第１実施形態の体毛用美容光、第２実施形態の体毛用美容光、第３実施形態の体毛用美容光、および比較例の光が体毛に及ぼす影響を確認する複数の比較実験を実施した。
【０１９３】
比較実験は、比較実験用美容装置を用い、この比較実験用美容装置により比較例の光を出力した。実施例の説明は、比較実験用美容装置において体毛用光美容装置１０と共通する構成要素に対して、体毛用光美容装置１０の構成要素と同一の符号を付している。
【０１９４】
比較実験用美容装置は、次の点において体毛用光美容装置１０と相違し、他の点において体毛用光美容装置１０と同じ構成を有する。比較実験用美容装置は、レンズ３６およびフィルター３７の種類が各実施形態の体毛用光美容装置１０と異なる。このため、比較実験用美容装置の光源３４から照射された光は、比較実験用美容装置のレンズ３６およびフィルター３７を透過することにより、各実施形態の体毛用光美容装置１０の体毛用美容光とは異なる光スペクトルを有する。図５は、比較実験用美容装置により照射された光のスペクトルを示す。図５の光のスペクトルは、キセノンフラッシュランプが有する標準的な光のスペクトルに相当する。
【０１９５】
比較実験は、試験用のマウス（以下、「光照射マウス」）を抑毛作用光の照射対象として用いた。比較実験は、光照射マウスのサンプル数を５に設定した。比較実験は、光照射マウスの背中に観察対象部位を形成した。比較実験は、光照射マウスの背中の所定部位における体毛の全部を剃ることにより光照射マウスに観察対象部位を形成した。光照射マウスの観察対象部位は、１辺が２ｃｍの正方形に類似する形状を有する。
【０１９６】
比較実験は、基準となる体毛の成長を観察するため、光照射マウスと同種の試験用マウス（以下、「非照射マウス」）を、光の照射対象としないマウスとして用いた。比較実験は、非照射マウスのサンプル数を５に設定した。比較実験は、非照射マウスの背中に観察対象部位を形成した。比較実験は、非照射マウスの背中の所定部位における体毛の全部を剃ることにより非照射マウスに観察対象部位を形成した。非照射マウスの観察対象部位は、１辺が２ｃｍの正方形に類似する形状を有する。
【０１９７】
比較実験は、複数の実験条件を規定し、規定した実験条件下において光を光照射マウスの観察対象部位に照射した。比較実験は、光の照射後における観察対象部位の体毛の成長、および観察対象部位の皮膚の変化を観察した。比較実験は、光照射マウスの体毛の成長および皮膚の変化を観察する時期と同時期において、非照射マウスの体毛の成長および皮膚の変化を観察した。
【０１９８】
比較実験は、マウスの体毛の量を「体毛量」として定量化した。比較実験は、マウスの所定部位に存在する体毛の本数と、この所定部位に存在する体毛の合計長さとの乗算の結果を体毛量として規定した。比較実験は、マウスの所定部位の画像を取得し、画像解析により体毛の本数および体毛の合計長さを取得し、取得した体毛の本数および体毛の合計長さに基づいて体毛量を算出した。体毛の合計長さは、マウスの所定部位に存在する個々の体毛の長さを合計した長さを示す。
【０１９９】
比較実験は、光照射マウスの観察対象部位の体毛の成長を「抑毛率」として定量化した。比較実験は、光照射マウスの観察対象部位の体毛量（以下、「光照射体毛量」）を非照射マウスの観察対象部位の体毛量（以下、「非照射体毛量」）により除算し、無次元化した数値を抑毛率として規定した。比較実験は、光照射マウスの観察対象部位の画像に基づいて、光照射体毛量を算出した。比較実験は、全ての光照射マウスの光照射体毛量に基づいて光照射体毛量の平均値を算出した。比較実験は、非照射マウスの観察対象部位の画像に基づいて、非照射体毛量を算出した。比較実験は、全ての非照射マウスの非照射体毛量に基づいて非照射体毛量の平均値を算出した。比較実験は、光照射体毛量の平均値および非照射体毛量の平均値を用いて抑毛率を算出した。
【０２００】
抑毛率は、光照射マウスの観察対象部位における体毛の成長速度が非照射マウスの観察対象部位における体毛の成長速度に対して有する遅れの度合を示す。「１」の抑毛率は、光照射マウスの観察対象部位における体毛の成長速度が、非照射マウスの観察対象部位における体毛の成長速度と同じ大きさを有することを示唆する。「１」未満の抑毛率は、光照射マウスの観察対象部位における体毛の成長速度が、非照射マウスの観察対象部位における体毛の成長速度よりも遅れていることを示唆する。抑毛率は、「１」から「０」に近付くにつれて、光照射マウスの観察対象部位における体毛の成長速度が、非照射マウスの観察対象部位における体毛の成長速度よりも遅れている度合が大きいことを示唆する。すなわち、抑毛率は、「１」から「０」に近付くにつれて、観察対象部位への光の照射により抑毛作用がより強く促進されていることを示唆する。
【０２０１】
比較実験は、複数の実験条件として、光のエネルギー密度、光の照射時間、光の照射サイクル、光の単位照射回数、光の合計照射回数、観察開始時期、および経過観察時期を以下のとおり規定した。
【０２０２】
比較実験は、光のエネルギー密度として、０．２（Ｊ／ｃｍ２）、１．０（Ｊ／ｃｍ２）、１．５（Ｊ／ｃｍ２）の３種類を設定した。光のエネルギー密度は、一例として、光源３４に供給される電力量に基づいて測定することができる。
【０２０３】
比較実験は、光の照射時間として、０．６ｍｓ、１．０ｍｓ、および２．０ｍｓの３種類を設定した。光の照射時間は、一例として、制御部５０から光源３４に出力される信号に基づいて測定することができる。
【０２０４】
比較実験は、光の照射サイクルとして、３０秒および６０秒の２種類を設定した。光の照射サイクルは、１日あたりの光の照射期間において、先の光の照射が終了してから次の光の照射が開始されるまでの期間を示す。光の照射サイクルは、一例として、制御部５０から光源３４に出力される信号に基づいて測定することができる。
【０２０５】
比較実験は、光の単位照射回数として、４回／日および８回／日の２種類を設定した。光の単位照射回数は、１日あたりに光源３４から観察対象部位に光が照射される回数を示す。
【０２０６】
比較実験は、光の合計照射回数として、１６回および３２回の２種類を設定した。光の合計照射回数は、光の単位照射回数、および光を照射する日数を乗算した回数を示す。比較実験は、光を照射する日数を４日に設定している。
【０２０７】
比較実験は、観察開始時期として、光照射マウスおよび非照射マウスに観察対象部位を形成した直後の時期を設定した。比較実験は、観察開始時期において、光照射マウスに最初の光の照射を実行した。最初の光の照射は、光の合計照射回数が１６回および３２回の両方の場合において、１回目の光の照射を示す。
【０２０８】
比較実験は、経過観察時期として、照射直後、１週間後、および２週間後の３種類を設定した。比較実験は、光照射マウスおよび非照射マウスに共通して同じ経過観察時期を設定した。光照射マウスおよび非照射マウスの経過観察時期は、任意の光照射マウスに対する光の照射時期を基準として測定することができる。
【０２０９】
照射直後は、光照射マウスに対する最後の光の照射が終了した直後を示す。照射直後は、光照射マウスおよび非照射マウスのそれぞれに観察対象部位を形成した直後から４日が経過した時期に相当する。１週間後は、光照射マウスに対する最後の光の照射が終了した直後を基準の時期として、基準の時期から１週間が経過した直後を示す。２週間後は、最後の光の照射が終了した直後を基準の時期として、基準の時期から２週間が経過した直後を示す。最後の光の照射は、光の合計照射回数が１６回の場合、１６回目の光の照射を示し、光の合計照射回数が３２回の場合、３２回目の光の照射を示す。
【０２１０】
本願発明者は、光の照射サイクル、光の単位照射回数、および光の合計照射回数を組み合わせて複数の比較実験の条件を設定した。複数の比較実験は、以下の第１比較実験、第２比較実験、第３比較実験、および第４比較実験を含む。
【０２１１】
第１比較実験は、光の照射サイクルを３０秒に設定し、光の単位照射回数を４回／日に設定し、光の合計照射回数を１６回に設定した。［表１］は、第１比較実験により得られた測定結果を示す。
【０２１２】
第２比較実験は、光の照射サイクルを３０秒に設定し、光の単位照射回数を８回／日に設定し、光の合計照射回数を３２回に設定した。［表２］は、第２比較実験により得られた測定結果を示す。
【０２１３】
第３比較実験は、光の照射サイクルを６０秒に設定し、光の単位照射回数を４回／日に設定し、光の合計照射回数を１６回に設定した。［表３］は、第３比較実験により得られた測定結果を示す。
【０２１４】
第４比較実験は、光の照射サイクルを６０秒に設定し、光の単位照射回数を８回／日に設定し、光の合計照射回数を３２回に設定した。［表４］は、第４比較実験により得られた測定結果を示す。
【０２１５】
［表１］
2014161456.tif 000003
【０２１６】
［表２］
2014161456.tif 000004
【０２１７】
［表３］
2014161456.tif 000005
【０２１８】
［表４］
2014161456.tif 000006
【０２１９】
各表は、以下の事項を示唆している。なお、第１実施形態の抑毛率は、第１実施形態の体毛用美容光の照射により得られた抑毛率を示す。第２実施形態の抑毛率は、第２実施形態の体毛用美容光の照射により得られた抑毛率を示す。第３実施形態の抑毛率は、第３実施形態の体毛用美容光の照射により得られた抑毛率を示す。比較例の抑毛率は、比較例の光の照射により得られた抑毛率を示す。
【０２２０】
第１実施形態〜第３実施形態および比較例の抑毛率は、光のエネルギー密度が高くなるにつれて小さい値を示す。第１実施形態〜第３実施形態の抑毛率は、光の照射直後から概ね比較例の抑毛率よりも小さい値を示す。第１実施形態〜第３実施形態の抑毛率は、光の照射直後の時期と経過観察時期との間隔が長くなるにつれて、より０に近い値を示す。第１実施形態〜第３実施形態の抑毛率は、光の照射直後の時期と経過観察時期との間隔が長くなるにつれて、比較例の抑毛率との差が大きくなる。すなわち、第１実施形態〜第３実施形態の体毛用美容光は、比較例の光よりも体毛美容作用を長い期間にわたり促進させることに貢献する。
【０２２１】
各比較実験は、第１実施形態〜第３実施形態の体毛用美容光、および比較例の光が皮膚に及ぼす影響を定性的に評価するため、光照射マウスおよび非照射マウスの観察対象部位の皮膚を観察した。
【０２２２】
各比較実験は、経過観察時期の照射直後において、第１実施形態の体毛用美容光が照射された光照射マウスの観察対象部位の皮膚から顆粒層を取得した。各比較実験は、経過観察時期の照射直後において、第２実施形態の体毛用美容光が照射された光照射マウスの観察対象部位の皮膚から顆粒層を取得した。各比較実験は、経過観察時期の照射直後において、第３実施形態の体毛用美容光が照射された光照射マウスの観察対象部位の皮膚から顆粒層を取得した。各比較実験は、経過観察時期の照射直後において、比較例の光が照射された光照射マウスの観察対象部位の皮膚から顆粒層を取得した。各比較実験は、経過観察時期の照射直後において、非照射マウスの観察対象部位の皮膚から顆粒層を取得した。
【０２２３】
各比較実験は、各光照射マウスおよび非照射マウスから取得した顆粒層を比較し、各顆粒層の相違を確認した。各実施形態の体毛用美容光が照射された光照射マウスの顆粒層は、非照射マウスの顆粒層との実質的な相違を示していない。比較例の光が照射された光照射マウスの顆粒層は、非照射マウスの顆粒層との実質的な相違を示した。この結果は、比較例の光が各実施形態の体毛用美容光よりも皮膚に及ぼす影響が大きいことを示唆している。
【０２２４】
（課題を解決するための手段に関する付記）
課題を解決するための手段は、下記の［付記項１］〜［付記項３］を含む。なお、［付記項１］〜［付記項３］が有する事項は、実施形態において開示された事項と対応している。
【０２２５】
［付記項１］
請求項１〜７のいずれか一項に記載の体毛用光美容装置は、次の事項を有する。前記体毛用美容光は、１０００ｎｍ〜１１００ｎｍの波長範囲における強度の積分値が１１００ｎｍ〜１２００ｎｍの波長範囲における強度の積分値よりも大きい。
【０２２６】
本願発明者は、上記体毛用光美容装置により次の効果が得られることを実験により確認した。上記体毛用光美容装置は、１０００ｎｍ〜１１００ｎｍの波長範囲における強度の積分値が１１００ｎｍ〜１２００ｎｍの波長範囲における強度の積分値よりも小さい場合と比較して、体毛美容作用を促進させやすくなる効果が高くなる。
【０２２７】
［付記項２］
請求項１〜７のいずれか一項に記載の体毛用光美容装置、または付記項１に記載の体毛用光美容装置は、次の事項を有する。前記体毛用美容光は、９００ｎｍ〜１０００ｎｍの波長範囲における強度の積分値が１１００ｎｍ〜１２００ｎｍの波長範囲における強度の積分値よりも大きい。
【０２２８】
本願発明者は、上記体毛用光美容装置により次の効果が得られることを実験により確認した。上記体毛用光美容装置は、９００ｎｍ〜１０００ｎｍの波長範囲における強度の積分値が１１００ｎｍ〜１２００ｎｍの波長範囲における強度の積分値よりも小さい場合と比較して、体毛美容作用を促進させやすくなる効果が高くなる。
【０２２９】
［付記項３］
請求項１〜７のいずれか一項に記載の体毛用光美容装置、または付記項１もしくは付記項２に記載の体毛用光美容装置は、次の事項を有する。前記体毛用美容光は、８５０ｎｍ〜９００ｎｍの波長範囲における強度の積分値が１１００ｎｍ〜１２００ｎｍの波長範囲における強度の積分値よりも大きい。
【０２３０】
本願発明者は、上記体毛用光美容装置により次の効果が得られることを実験により確認した。上記体毛用光美容装置は、８５０ｎｍ〜９００ｎｍの波長範囲における強度の積分値が１１００ｎｍ〜１２００ｎｍの波長範囲における強度の積分値よりも小さい場合と比較して、体毛美容作用を促進させやすくなる効果が高くなる。
【符号の説明】
【０２３１】
１０…体毛用光美容装置
２０…本体ユニット、２１…本体ハウジング、２２…本体側コネクター
３０…光源ユニット、３１…光源ハウジング、３２…光源側コネクター、３３…フィルター装着部、３４…光源、３５…リフレクター、３６…レンズ、３７…フィルター
４０…電源回路部
５０…制御部
【図１】
2014161456.tif 000007
【図２】
2014161456.tif 000008
【図３】
2014161456.tif 000009
【図４】
2014161456.tif 000010
【図５】
2014161456.tif 000011